(57)【特許請求の範囲】
【請求項１】
エンジンに連結された入力軸と、第一回転電機と、第二回転電機と、動力伝達経路上で前記入力軸、前記第一回転電機、及び前記第二回転電機に対して車輪側に配置された出力ギヤと、少なくとも第一回転要素、第二回転要素、及び第三回転要素をそれぞれ有する第一遊星歯車装置及び第二遊星歯車装置と、前記第一回転電機、前記第二回転電機、前記第一遊星歯車装置、前記第二遊星歯車装置、及び前記出力ギヤを収容するケースと、を備えたハイブリッド駆動装置であって、
前記第一遊星歯車装置は、第一回転要素に前記第一回転電機、第二回転要素に前記入力軸、第三回転要素に前記出力ギヤがそれぞれ連結され、
前記第二遊星歯車装置は、第一回転要素に前記第二回転電機、第二回転要素に非回転部材、第三回転要素に前記出力ギヤがそれぞれ連結され、
前記第一遊星歯車装置は、前記第一回転電機の径方向内側に、当該第一回転電機と軸方向に重複して配置され、
前記第二遊星歯車装置は、前記第二回転電機の径方向内側に、当該第二回転電機と軸方向に重複して配置され、
前記入力軸と同軸上に、軸方向に沿って、前記第一回転電機及び前記第一遊星歯車装置、前記出力ギヤ、前記第二回転電機及び前記第二遊星歯車装置の順に配置され、
前記ケースは、各収容部品の外周を覆うケース周壁と、軸方向における前記出力ギヤと前記第一遊星歯車装置との間に配置されて前記ケース周壁から径方向に延びる第一中間支持壁と、軸方向における前記出力ギヤと前記第二遊星歯車装置との間に配置されて前記ケース周壁から径方向に延びる第二中間支持壁とを備え、
前記出力ギヤは、出力ギヤ本体に対して軸方向両側に延出され、前記第一遊星歯車装置及び前記第二遊星歯車装置よりも小径の延出軸部を備え、
前記第一遊星歯車装置の第三回転要素が、前記第一遊星歯車装置に対して前記第二遊星歯車装置側に配置されて径方向に延びる第一出力連結部材を介して軸方向一方側の前記延出軸部にて前記出力ギヤに連結され、
前記第二遊星歯車装置の第三回転要素が、前記第二遊星歯車装置に対して前記第一遊星歯車装置側に配置されて径方向に延びる第二出力連結部材を介して軸方向他方側の前記延出軸部にて前記出力ギヤに連結され、
前記第一遊星歯車装置及び前記第二遊星歯車装置に対して前記出力ギヤ側において前記出力ギヤを軸方向両側から回転可能に支持する一対の出力軸受を備え、
一対の前記出力軸受は、前記第一中間支持壁及び前記第二中間支持壁のそれぞれと軸方向両側の前記延出軸部との間において、前記第一遊星歯車装置及び前記第二遊星歯車装置と径方向に重複して配置されたハイブリッド駆動装置。
【請求項２】
前記第一回転電機の径方向内側に形成されて前記第一遊星歯車装置を収容する第一空間と、前記第二回転電機の径方向内側に形成されて前記第二遊星歯車装置を収容する第二空間とが、軸方向に互いに対向する側に開口している請求項１に記載のハイブリッド駆動装置。
【請求項３】
前記第一回転電機の第一ロータは、当該第一ロータから径方向内側に延出される第一ロータ連結部材を介して前記第一遊星歯車装置の第一回転要素に連結され、
前記第二回転電機の第二ロータは、当該第二ロータから径方向内側に延出される第二ロータ連結部材を介して前記第二遊星歯車装置の第一回転要素に連結され、
前記第一ロータ連結部材は、前記第一遊星歯車装置に対して前記第二遊星歯車装置側とは反対側に配置され、
前記第二ロータ連結部材は、前記第二遊星歯車装置に対して前記第一遊星歯車装置側とは反対側に配置されている請求項１又は２に記載のハイブリッド駆動装置。
【請求項４】
前記第一ロータの内周面と前記第一ロータ連結部材とに囲まれた空間に前記第一遊星歯
車装置が収容され、
前記第二ロータの内周面と前記第二ロータ連結部材とに囲まれた空間に前記第二遊星歯車装置が収容されている請求項３に記載のハイブリッド駆動装置。
【請求項５】
前記第一中間支持壁及び前記第二中間支持壁の一方又は双方は、軸方向で前記出力ギヤ側に突出する軸方向突出部を備え、当該軸方向突出部に前記出力軸受が支持される請求項１から４のいずれか一項に記載のハイブリッド駆動装置。
【請求項６】
一対の前記出力軸受の少なくとも一方が、前記出力ギヤの歯面と軸方向に重複して配置された請求項１から５のいずれか一項に記載のハイブリッド駆動装置。
【請求項７】
前記第一回転電機の第一ロータは、当該第一ロータから径方向内側に延出される第一ロータ連結部材を介して前記第一遊星歯車装置の第一回転要素に連結され、前記第二回転電機の第二ロータは、当該第二ロータから径方向内側に延出される第二ロータ連結部材を介して前記第二遊星歯車装置の第一回転要素に連結され、
前記第一ロータを回転可能に支持する第一ロータ軸受は、前記第一ロータ連結部材から軸方向に突出形成された軸方向突出部の内周面を支持するように設けられ、前記第二ロータを回転可能に支持する第二ロータ軸受は、前記第二ロータ連結部材から軸方向に突出形成された軸方向突出部の内周面を支持するように設けられ、
一対の前記出力軸受は、前記延出軸部の外周面を支持するように設けられている請求項１から６のいずれか一項に記載のハイブリッド駆動装置。
【請求項８】
前記入力軸の一端部が、前記出力ギヤの軸心部に設けられた軸挿通孔に挿入され、前記軸挿通孔の内周面と前記入力軸の外周面との間に配置された入力軸受を介して前記軸挿通孔の内周面に回転可能に支持されている請求項１から７のいずれか一項に記載のハイブリッド駆動装置。
【請求項９】
前記入力軸の一端部が、前記出力ギヤの軸心部に設けられた軸挿通孔を貫通し、前記出力ギヤに対して前記第二回転電機側に配置された入力軸受によって回転可能に支持されている請求項１から７のいずれか一項に記載のハイブリッド駆動装置。
【請求項１０】
前記第一遊星歯車装置は、回転要素としてサンギヤ、キャリア、及びリングギヤを備え、サンギヤに前記第一回転電機、キャリアに前記入力軸、リングギヤに前記出力ギヤがそれぞれ連結されている請求項１から９のいずれか一項に記載のハイブリッド駆動装置。
【請求項１１】
前記第二遊星歯車装置は、回転要素としてサンギヤ、キャリア、及びリングギヤを備え、サンギヤに前記第二回転電機、キャリアに非回転部材、リングギヤに前記出力ギヤがそれぞれ連結されている請求項１から１０のいずれか一項に記載のハイブリッド駆動装置。
【請求項１２】
前記第二遊星歯車装置は、回転要素としてサンギヤ、キャリア、及びリングギヤを備え、サンギヤに前記第二回転電機、キャリアに前記出力ギヤ、リングギヤに非回転部材がそれぞれ連結されている請求項１から１０のいずれか一項に記載のハイブリッド駆動装置。
【発明の詳細な説明】
【技術分野】
【０００１】
本発明は、エンジンに連結された入力軸と、第一回転電機と、第二回転電機と、動力伝達経路上で前記入力軸、前記第一回転電機、及び前記第二回転電機に対して車輪側に配置された出力ギヤと、第一遊星歯車装置と、第二遊星歯車装置と、を備えたハイブリッド駆動装置に関する。
【背景技術】
【０００２】
近年、駆動力源としてエンジンと回転電機とを併用することにより、エンジンの燃費向上及び排出ガスの低減を図ることのできるハイブリッド車両が実用化されている。このような車両に用いるハイブリッド駆動装置の一例として、エンジンに連結された入力軸と、第一回転電機と、第二回転電機と、動力伝達経路上で前記入力軸、前記第一回転電機、及び前記第二回転電機に対して車輪側に配置された出力ギヤと、３つの回転要素をそれぞれ有する第一遊星歯車装置及び第二遊星歯車装置とを備えた、いわゆるスプリット型のハイブリッド駆動装置が知られている（例えば、特許文献１参照）。
【０００３】
このハイブリッド駆動装置では、第一遊星歯車装置の三つの回転要素のうち、サンギヤに第一回転電機、キャリアに入力軸、リングギヤに出力ギヤがそれぞれ連結されている。また、第二遊星歯車装置の三つの回転要素のうち、サンギヤに第二回転電機、キャリアに非回転部材としてのケース、リングギヤに出力ギヤがそれぞれ連結されている。また、このハイブリッド駆動装置では、出力ギヤ、第一遊星歯車装置のリングギヤ、及び第二遊星歯車装置のリングギヤの３つのギヤが、一体化された略円筒状の一つの部品で構成されている。そして、この３つのギヤを一体化した円筒状部品は、その外周面における軸方向中央部に出力ギヤが形成され、内周面における軸方向両側に互いに隣接して第一遊星歯車装置のリングギヤ及び第二遊星歯車装置のリングギヤが形成されている。また、この円筒状部品は、出力ギヤに対して軸方向両側における円筒状部品の外周面に設けられた２つの軸受により、ケースに対して回転可能に支持されている。
【０００４】
そして、この円筒状部品の径方向内側に、各リングギヤの配置に合わせて、第一遊星歯車装置のキャリア及びサンギヤ、並びに第二遊星歯車装置のキャリア及びサンギヤが収容されるように配置されている。このように、出力ギヤ、第一遊星歯車装置のリングギヤ、及び第二遊星歯車装置のリングギヤの３つのギヤを一つの円筒状部品で構成し、出力ギヤと第一遊星歯車装置及び第二遊星歯車装置とを軸方向に重複して配置したことにより、第一回転電機と第二回転電機との間にこれらを配置する場合において、第一遊星歯車装置、出力ギヤ、及び第二遊星歯車装置を軸方向に直列的に配置した構成と比較して、ハイブリッド駆動装置の全体の軸方向寸法が短縮されている。
【０００５】
【特許文献１】特開２００６−２６２５５３号公報
【発明の開示】
【発明が解決しようとする課題】
【０００６】
しかし、上記のハイブリッド駆動装置では、出力ギヤ、第一遊星歯車装置のリングギヤ、及び第二遊星歯車装置のリングギヤの３つのギヤを一体化した円筒状部品が、外周面に設けられた２つの軸受により、径方向外側からケースに対して回転可能に支持される構成となっている。ここで、３つのギヤが形成された円筒状部品の径方向内側には第一遊星歯車装置及び第二遊星歯車装置が収容されるため、必然的に軸受は当該円筒状部品の径方向外側に配置される。また、当該円筒状部品の外周面は、第一遊星歯車装置及び第二遊星歯車装置の外径よりも大きい径となっている。そのため、３つのギヤを一体化した円筒状部品を回転可能に支持するための軸受も、第一遊星歯車装置及び第二遊星歯車装置の外径より大きい径となっていた。上記のハイブリッド駆動装置は、このような大きな径の軸受を用いることにより、製造コストが高くなるという問題があった。また、このような大きな径の軸受を用いることにより、当該軸受がケースの周壁に近い位置で支持されることになる。そのため、３つのギヤを一体化した円筒状部品の回転によって生じる各ギヤのノイズが、ケースの周壁に伝わり易く、ケース外にノイズが伝播しやすいという問題があった。一方、上記のように、３つのギヤを一体化した円筒状部品内に２つの遊星歯車装置を収容したことによりハイブリッド駆動装置の軸方向寸法を短縮しているため、この構造を安易に変更するとハイブリッド駆動装置の全体の軸方向寸法が大きくなる可能性がある。
【０００７】
本発明は、上記課題に鑑みてなされたものであり、装置全体の寸法を大型化することなく、低コスト化及び低ノイズ化を図ることが可能なハイブリッド駆動装置を提供することを目的とする。
【課題を解決するための手段】
【０００８】
上記目的を達成するための本発明に係る、エンジンに連結された入力軸と、第一回転電機と、第二回転電機と、動力伝達経路上で前記入力軸、前記第一回転電機、及び前記第二回転電機に対して車輪側に配置された出力ギヤと、少なくとも第一回転要素、第二回転要素、及び第三回転要素をそれぞれ有する第一遊星歯車装置及び第二遊星歯車装置と、前記第一回転電機、前記第二回転電機、前記第一遊星歯車装置、前記第二遊星歯車装置、及び前記出力ギヤを収容するケースと、を備えたハイブリッド駆動装置の特徴構成は、前記第一遊星歯車装置は、第一回転要素に前記第一回転電機、第二回転要素に前記入力軸、第三回転要素に前記出力ギヤがそれぞれ連結され、前記第二遊星歯車装置は、第一回転要素に前記第二回転電機、第二回転要素に非回転部材、第三回転要素に前記出力ギヤがそれぞれ連結され、前記第一遊星歯車装置は、前記第一回転電機の径方向内側に、当該第一回転電機と軸方向に重複して配置され、前記第二遊星歯車装置は、前記第二回転電機の径方向内側に、当該第二回転電機と軸方向に重複して配置され、前記入力軸と同軸上に、軸方向に沿って、前記第一回転電機及び前記第一遊星歯車装置、前記出力ギヤ、前記第二回転電機及び前記第二遊星歯車装置の順に配置され、前記ケースは、各収容部品の外周を覆うケース周壁と、軸方向における前記出力ギヤと前記第一遊星歯車装置との間に配置されて前記ケース周壁から径方向に延びる第一中間支持壁と、軸方向における前記出力ギヤと前記第二遊星歯車装置との間に配置されて前記ケース周壁から径方向に延びる第二中間支持壁とを備え、前記出力ギヤは、出力ギヤ本体に対して軸方向両側に延出され、前記第一遊星歯車装置及び前記第二遊星歯車装置よりも小径の延出軸部を備え、前記第一遊星歯車装置の第三回転要素が、前記第一遊星歯車装置に対して前記第二遊星歯車装置側に配置されて径方向に延びる第一出力連結部材を介して軸方向一方側の前記延出軸部にて前記出力ギヤに連結され、前記第二遊星歯車装置の第三回転要素が、前記第二遊星歯車装置に対して前記第一遊星歯車装置側に配置されて径方向に延びる第二出力連結部材を介して軸方向他方側の前記延出軸部にて前記出力ギヤに連結され、前記第一遊星歯車装置及び前記第二遊星歯車装置に対して前記出力ギヤ側において前記出力ギヤを軸方向両側から回転可能に支持する一対の出力軸受を備え、一対の前記出力軸受は、前記第一中間支持壁及び前記第二中間支持壁のそれぞれと軸方向両側の前記延出軸部との間において、前記第一遊星歯車装置及び前記第二遊星歯車装置と径方向に重複して配置された点にある。
【０００９】
なお、本願では、「連結」とは、連結対象の２つの部材を直接的に連結する構造を含むほか、当該２つの部材間に他の１又は２以上の部材を介して間接的に連結する構造も含む。また、本願では、「回転電機」は、モータ（電動機）、ジェネレータ（発電機）、及び必要に応じてモータ及びジェネレータの双方の機能を果たすモータ・ジェネレータのいずれをも含む概念として用いている。
【００１０】
この特徴構成によれば、入力軸と同軸上に、軸方向に沿って、第一回転電機及び第一遊星歯車装置、出力ギヤ、第二回転電機及び第二遊星歯車装置の順に配置され、第一遊星歯車装置及び第二遊星歯車装置に対して出力ギヤ側において出力ギヤを軸方向両側から回転可能に支持する一対の出力軸受を備えたことにより、従来のように一対の出力軸受が第一遊星歯車装置及び第二遊星歯車装置に対して径方向外側に配置されることがない。また、一対の出力軸受が第一遊星歯車装置及び第二遊星歯車装置と径方向に重複して配置される構成としたことにより、出力ギヤを支持する出力軸受は従来に比べて小径化されている。したがって、出力軸受のコストを低減し、ハイブリッド駆動装置の全体の低コスト化を図ることが可能となる。更に、一対の出力軸受が、ケース周壁から出力ギヤと第一遊星歯車装置との間を径方向に延びる第一中間支持壁とケース周壁から出力ギヤと第二遊星歯車装置との間を径方向に延びる第二中間支持壁とにそれぞれ支持された構成としたことにより、出力軸受が、ケース内における径方向内側のケース周壁から離れた位置に支持されることになる。そのため、出力ギヤ及びこれに連結される第一遊星歯車装置の第三回転要素及び第二遊星歯車装置の第三回転要素の回転によって生じる各ギヤのノイズをケース周壁に伝わり難くくし、ケース外にノイズが伝播することを効果的に抑制することができる。
【００１１】
また、第一遊星歯車装置が第一回転電機の径方向内側に当該第一回転電機と軸方向に重複して配置され、第二遊星歯車装置が第二回転電機の径方向内側に当該第二回転電機と軸方向に重複して配置されたことにより、第一遊星歯車装置と第一回転電機との軸方向の重複分、及び第二遊星歯車装置と第二回転電機との軸方向の重複分に相当する長さだけ、ハイブリッド駆動装置の軸方向寸法を短縮することが可能となる。したがって、第一遊星歯車装置、出力ギヤ、及び第二遊星歯車装置を、軸方向に沿って直列的に配置したにも関わらず、ハイブリッド駆動装置の全体としての軸方向寸法が大型化することなく、或いは従来と比べて軸方向寸法を更に短縮することが可能となっている。なお、第一遊星歯車装置及び第二遊星歯車装置は、従来から比較的余裕のある第一回転電機及び第二回転電機のロータの径方向内側の領域を利用して配置されているので、第一回転電機及び第二回転電機が径方向に大型化することも抑えられる。以上より、ハイブリッド駆動装置の全体の寸法を大型化することなく、低コスト化及び低ノイズ化を図ることができる。
【００１２】
ここで、前記出力ギヤは、出力ギヤ本体に対して軸方向両側に延出され、前記第一遊星歯車装置及び前記第二遊星歯車装置よりも小径の延出軸部を備え、一対の前記出力軸受は、軸方向における、前記出力ギヤ本体と前記第一遊星歯車装置との間、及び前記出力ギヤ本体と前記第二遊星歯車装置との間にそれぞれ配置され、前記出力ギヤ本体に対して軸方向両側の前記延出軸部をそれぞれ回転可能に支持する。
【００１３】
この構成によれば、一対の出力軸受により出力ギヤを軸方向両側から回転可能に支持するとともに、一対の出力軸受を第一遊星歯車装置及び第二遊星歯車装置と径方向に重複して配置した構成を、適切に実現することができる。したがって、出力軸受を小径化して当該出力軸受のコストを低減し、ハイブリッド駆動装置の全体の低コスト化を図ることができる。また、出力軸受を小径化することにより、出力軸受をケース内における径方向内側のケース周壁から離れた位置に支持することを可能とし、出力軸受を介してケース周壁にノイズが伝達されることを抑制して低ノイズ化を図ることができる。
【００１４】
また、前記第一遊星歯車装置の第三回転要素が、前記第一遊星歯車装置に対して前記第二遊星歯車装置側に配置される第一出力連結部材を介して前記出力ギヤに連結され、前記第二遊星歯車装置の第三回転要素が、前記第二遊星歯車装置に対して前記第一遊星歯車装置側に配置される第二出力連結部材を介して前記出力ギヤに連結される。
【００１５】
この構成によれば、軸方向に沿って第一遊星歯車装置、出力ギヤ、記第二遊星歯車装置の順に配置されていることに合わせて、第一遊星歯車装置に対して出力ギヤ側で第一遊星歯車装置の第三回転要素と出力ギヤとを連結し、第二遊星歯車装置に対して出力ギヤ側で第二遊星歯車装置の第三回転要素と出力ギヤとを連結することができる。したがって、第一遊星歯車装置の第三回転要素及び第二遊星歯車装置の第三回転要素を、出力ギヤに適切に連結することができる。
【００１６】
また、前記第一回転電機の径方向内側に形成されて前記第一遊星歯車装置を収容する第一空間と、前記第二回転電機の径方向内側に形成されて前記第二遊星歯車装置を収容する第二空間とが、軸方向に互いに対向する側に開口している構成とすると好適である。
【００１７】
この構成によれば、第一回転電機の径方向内側に配置される第一遊星歯車装置の第三回転要素と出力ギヤとの連結、及び第二回転電機の径方向内側に配置される第二遊星歯車装置の第三回転要素と出力ギヤとの連結を、容易に行うことができる。
【００１８】
また、前記第一回転電機の第一ロータは、当該第一ロータから径方向内側に延出される第一ロータ連結部材を介して前記第一遊星歯車装置の第一回転要素に連結され、前記第二回転電機の第二ロータは、当該第二ロータから径方向内側に延出される第二ロータ連結部材を介して前記第二遊星歯車装置の第一回転要素に連結され、前記第一ロータ連結部材は、前記第一遊星歯車装置に対して前記第二遊星歯車装置側とは反対側に配置され、前記第二ロータ連結部材は、前記第二遊星歯車装置に対して前記第一遊星歯車装置側とは反対側に配置されている構成とすると好適である。
【００１９】
この構成によれば、第一回転電機の径方向内側に形成される第一遊星歯車装置を収容する空間と、第二回転電機の径方向内側に形成される第二遊星歯車装置を収容する空間とが、軸方向に互いに対向する側に開口するように構成される。したがって、第一回転電機の径方向内側に配置される第一遊星歯車装置の第三回転要素と出力ギヤとの連結、及び第二回転電機の径方向内側に配置される第二遊星歯車装置の第三回転要素と出力ギヤとの連結を、容易に行うことができる。
【００２０】
また、前記第一ロータの内周面と前記第一ロータ連結部材とに囲まれた空間に前記第一遊星歯車装置が収容され、前記第二ロータの内周面と前記第二ロータ連結部材とに囲まれた空間に前記第二遊星歯車装置が収容されている構成とすると好適である。
【００２１】
この構成によれば、第一遊星歯車装置を、第一回転電機の径方向内側に当該第一回転電機と軸方向に重複するように適切に配置し、第二遊星歯車装置を、第二回転電機の径方向内側に当該第二回転電機と軸方向に重複するように適切に配置することができる。
【００２４】
また、前記第一中間支持壁及び前記第二中間支持壁の一方又は双方は、軸方向で前記出力ギヤ側に突出する軸方向突出部を備え、当該軸方向突出部に前記出力軸受が支持される構成とすると好適である。
【００２５】
この構成によれば、出力軸受を、第一中間支持壁及び第二中間支持壁の一方又は双方に適切に支持させることができる。
【００２６】
また、一対の前記出力軸受の少なくとも一方が、前記出力ギヤの歯面と軸方向に重複して配置された構成とすると好適である。
【００２７】
この構成によれば、出力ギヤ及び出力軸受の配置領域の軸方向寸法を短縮することができるので、ハイブリッド駆動装置の全体の軸方向寸法も短縮することができる。
【００２８】
また、前記第一回転電機の第一ロータは、当該第一ロータから径方向内側に延出される第一ロータ連結部材を介して前記第一遊星歯車装置の第一回転要素に連結され、前記第二回転電機の第二ロータは、当該第二ロータから径方向内側に延出される第二ロータ連結部材を介して前記第二遊星歯車装置の第一回転要素に連結され、前記第一ロータを回転可能に支持する第一ロータ軸受は、前記第一ロータ連結部材から軸方向に突出形成された軸方向突出部の内周面を支持するように設けられ、前記第二ロータを回転可能に支持する第二ロータ軸受は、前記第二ロータ連結部材から軸方向に突出形成された軸方向突出部の内周面を支持するように設けられ、一対の前記出力軸受は、前記延出軸部の外周面を支持するように設けられている構成とすると好適である。
【００２９】
この構成によれば、入力軸等の他の部材や当該部材を支持する軸受に干渉しないように第一ロータ、出力ギヤ、及び第二ロータの軸受を配置し、これらをそれぞれ適切に支持することが可能となっている。
【００３０】
また、前記入力軸の一端部が、前記出力ギヤの軸心部に設けられた軸挿通孔に挿入され、前記軸挿通孔の内周面と前記入力軸の外周面との間に配置された入力軸受を介して前記軸挿通孔の内周面に回転可能に支持されている構成とすると好適である。
【００３１】
この構成によれば、出力ギヤの軸心部に設けられた軸挿通孔内に挿入された入力軸の一端部を、入力軸受、出力ギヤ、及び出力軸受を介して間接的にケースに支持することができる。したがって、ケース内の軸方向中央部近傍に配置される出力ギヤと軸方向に重複する位置において、入力軸を適切に支持することができる。
【００３２】
また、前記入力軸の一端部が、前記出力ギヤの軸心部に設けられた軸挿通孔を貫通し、前記出力ギヤに対して前記第二回転電機側に配置された入力軸受によって回転可能に支持されている構成とすると好適である。
【００３３】
この構成によれば、入力軸の一端部を、出力ギヤに対して第二回転電機側の位置において適切に回転可能に支持することができる。
【００３４】
ここで、前記第一遊星歯車装置の具体的構成として、例えば、回転要素としてサンギヤ、キャリア、及びリングギヤを備え、サンギヤに前記第一回転電機、キャリアに前記入力軸、リングギヤに前記出力ギヤがそれぞれ連結されている構成とすると好適である。
【００３５】
また、前記第二遊星歯車装置の具体的構成として、例えば、回転要素としてサンギヤ、キャリア、及びリングギヤを備え、サンギヤに前記第二回転電機、キャリアに非回転部材、リングギヤに前記出力ギヤがそれぞれ連結されている構成とすると好適である。
【００３６】
或いは、前記第二遊星歯車装置の具体的構成として、例えば、回転要素としてサンギヤ、キャリア、及びリングギヤを備え、サンギヤに前記第二回転電機、キャリアに前記出力ギヤ、リングギヤに非回転部材がそれぞれ連結されている構成とすると好適である。
【発明を実施するための最良の形態】
【００３７】
１．第一の実施形態
まず、本発明の第一の実施形態に係るハイブリッド駆動装置Ｈについて図面に基づいて説明する。ここで、ハイブリッド駆動装置Ｈは、車両の駆動力源としてエンジン及び回転電機の双方を用いるハイブリッド車両の駆動装置である。図１は、このハイブリッド駆動装置Ｈの要部断面図であり、図２は、このハイブリッド駆動装置Ｈの全体断面図である。また、これらの図に示すように、このハイブリッド駆動装置Ｈは、エンジンに連結された入力軸Ｉと、第一モータ・ジェネレータＭＧ１と、第二モータ・ジェネレータＭＧ２と、動力伝達経路上で入力軸Ｉ、第一モータ・ジェネレータＭＧ１、及び第二モータ・ジェネレータＭＧ２に対して車輪（図示せず）側に配置された出力ギヤＯと、第一遊星歯車装置Ｐ１及び第二遊星歯車装置Ｐ２と、を備えている。そして、このハイブリッド駆動装置Ｈは、第一モータ・ジェネレータＭＧ１の回転を制御することにより、第一遊星歯車装置Ｐ１を介して入力軸Ｉの回転駆動力を無段階に変速して出力ギヤＯに伝達する電気的無段変速装置を構成している。第二モータ・ジェネレータＭＧ２は、第二遊星歯車装置Ｐ２を介して出力ギヤＯに回転駆動力を伝達可能に構成されている。本実施形態においては、第一モータ・ジェネレータＭＧ１が本発明における「第一回転電機」に相当し、第二モータ・ジェネレータＭＧ２が本発明における「第二回転電機」に相当する。
【００３８】
また、これらの第一モータ・ジェネレータＭＧ１、第二モータ・ジェネレータＭＧ２、出力ギヤＯ、第一遊星歯車装置Ｐ１、及び第二遊星歯車装置Ｐ２は、入力軸Ｉと同軸上に配置され、非回転部材としてのケースＤＣ内に収納されている。更に、図２に示すように、本実施形態においては、出力ギヤＯは、カウンタ減速機構ＣＲ及びディファレンシャル装置ＤＥを介して図示しない車輪に駆動連結されている。カウンタ減速機構ＣＲ及びディファレンシャル装置ＤＥは、それぞれ入力軸Ｉと異なる軸上に互いに平行に配置されている。すなわち、このハイブリッド駆動装置Ｈは、入力軸Ｉ、第一モータ・ジェネレータＭＧ１、第二モータ・ジェネレータＭＧ２、出力ギヤＯ、第一遊星歯車装置Ｐ１、及び第二遊星歯車装置Ｐ２が配置される第一軸、カウンタ減速機構ＣＲが配置される第二軸、並びにディファレンシャル装置ＤＥが配置される第三軸を備えた３軸構成とされている。そして、ケースＤＣは、これらのカウンタ減速機構ＣＲ及びディファレンシャル装置ＤＥも共通に収容する構成となっている。すなわち、このハイブリッド駆動装置Ｈは、前記電気的無段変速装置とディファレンシャル装置ＤＥとがケースＤＣ内に一体的に収容されたトランスアクスル構成の駆動装置とされている。以下、このハイブリッド駆動装置Ｈの各部の構成について詳細に説明する。
【００３９】
１−１．各部の機能及び連結構成
まず、本実施形態に係るハイブリッド駆動装置Ｈの各部の機能及び連結構成について説明する。入力軸Ｉは、ダンパを介してエンジンに連結されている。ここでは、ダンパ及びエンジンの図示は省略する。エンジンとしては、例えば、ガソリンエンジンやディーゼルエンジン等の公知の各種の内燃機関を用いることができる。なお、入力軸Ｉがエンジンと直接連結され、或いはダンパ以外のクラッチ等の構成を介して連結された構成としても好適である。また、入力軸Ｉは、第一遊星歯車装置Ｐ１のキャリアｃａ１と一体回転するように連結されている。
【００４０】
出力ギヤＯは、動力伝達経路上で入力軸Ｉ、第一モータ・ジェネレータＭＧ１、及び第二モータ・ジェネレータＭＧ２に対して車輪側に配置され、入力軸Ｉ、第一モータ・ジェネレータＭＧ１、及び第二モータ・ジェネレータＭＧ２の回転駆動力を車輪側へ伝達する。そのため、出力ギヤＯは、第一遊星歯車装置Ｐ１の出力回転要素としてのリングギヤｒ１及び第二遊星歯車装置Ｐ２の出力回転要素としてのリングギヤｒ２の双方に、一体回転するように連結されている。そして、図２に示すように、出力ギヤＯは、カウンタ減速機構ＣＲ及びディファレンシャル装置ＤＥを介して図示しない車輪に駆動連結されている。具体的には、出力ギヤＯは、カウンタ減速機構ＣＲのカウンタドリブンギヤｃｒ２と噛み合っている。したがって、出力ギヤＯは、入力軸Ｉ及び第一モータ・ジェネレータＭＧ１から第一遊星歯車装置Ｐ１を介して伝達され、或いは第二モータ・ジェネレータＭＧ２から第二遊星歯車装置Ｐ２を介して伝達される回転駆動力を、車輪側へ出力する出力部材として機能する。
【００４１】
カウンタ減速機構ＣＲは、入力軸Ｉに平行に配置されたカウンタシャフトｃｒ１を備えるとともに、当該カウンタシャフトｃｒ１と一体回転するカウンタドリブンギヤｃｒ２及びデフドライブギヤｃｒ３を備えている。デフドライブギヤｃｒ３は、カウンタドリブンギヤｃｒ２よりも小径とされている。また、デフドライブギヤｃｒ３は、ディファレンシャル装置ＤＥのデフ入力ギヤ（デフリングギヤ）ｄｅ１に噛み合っている。ディファレンシャル装置ＤＥは、デフ入力ギヤｄｅ１の回転駆動力を左右の車輪に分配する。以上の連結構成により、出力ギヤＯと車輪とが駆動連結されている。なお、本実施形態においては、出力ギヤＯにパーキングギヤｐａが一体的に設けられている。
【００４２】
図１及び２に示すように、第一モータ・ジェネレータＭＧ１は、ケースＤＣに固定された第一ステータＳｔ１と、この第一ステータＳｔ１の径方向内側に回転自在に支持された第一ロータＲｏ１と、を有している。この第一ロータＲｏ１は、第一遊星歯車装置Ｐ１のサンギヤｓ１と一体回転するように連結されている。また、第二モータ・ジェネレータＭＧ２は、ケースＤＣに固定された第二ステータＳｔ２と、この第二ステータＳｔ２の径方向内側に回転自在に支持された第二ロータＲｏ２と、を有している。この第二ロータＲｏ２は、第二遊星歯車装置Ｐ２のサンギヤｓ２と一体回転するように連結されている。第１モータ・ジェネレータＭＧ１及び第２モータ・ジェネレータＭＧ２は、それぞれ図示しないインバータを介してバッテリやキャパシタ等の蓄電装置に電気的に接続されている。そして、第１モータ・ジェネレータＭＧ１及び第２モータ・ジェネレータＭＧ２は、それぞれ電力の供給を受けて動力を発生するモータ（電動機）としての機能と、動力の供給を受けて電力を発生するジェネレータ（発電機）としての機能とを果すことが可能とされている。
【００４３】
本例では、第一モータ・ジェネレータＭＧ１は、主に第一遊星歯車装置Ｐ１を介して入力される入力軸Ｉ（エンジン）の駆動力により発電を行い、蓄電装置を充電し、或いは第二モータ・ジェネレータＭＧ２を駆動するための電力を供給するジェネレータとして機能する。ただし、車両の高速走行時やエンジンの始動時等には第一モータ・ジェネレータＭＧ１は力行して駆動力を出力するモータとして機能する場合もある。一方、第二モータ・ジェネレータＭＧ２は、主に車両の走行用の駆動力を補助するモータとして機能する。ただし、車両の減速時等には第二モータ・ジェネレータＭＧ２はジェネレータとして機能し、車両の慣性力を電気エネルギとして回生するジェネレータとして機能する場合もある。
【００４４】
第一遊星歯車装置Ｐ１は、シングルピニオン型の遊星歯車機構により構成されている。すなわち、第一遊星歯車装置Ｐ１は、複数のピニオンギヤを支持するキャリアｃａ１と、前記ピニオンギヤにそれぞれ噛み合うサンギヤｓ１及びリングギヤｒ１とを回転要素として有している。サンギヤｓ１は、第一モータ・ジェネレータＭＧ１の第一ロータＲｏ１と一体回転するように連結されている。キャリアｃａ１は、入力軸Ｉと一体回転するように連結されている。リングギヤｒ１は、出力ギヤＯと一体回転するように連結されている。これにより、リングギヤｒ１は、出力ギヤＯを介して、第二遊星歯車装置Ｐ２のリングギヤｒ２とも一体回転するように連結されている。本実施形態においては、これらのサンギヤｓ１、キャリアｃａ１、及びリングギヤｒ１が、それぞれ本発明における第一遊星歯車装置Ｐ１の「第一回転要素」、「第二回転要素」、及び「第三回転要素」に相当する。
【００４５】
第二遊星歯車装置Ｐ２は、第一遊星歯車装置Ｐ１と同様に、シングルピニオン型の遊星歯車機構により構成されている。すなわち、第二遊星歯車装置Ｐ２は、複数のピニオンギヤを支持するキャリアｃａ２と、前記ピニオンギヤにそれぞれ噛み合うサンギヤｓ２及びリングギヤｒ２とを回転要素として有している。サンギヤｓ２は、第二モータ・ジェネレータＭＧ２の第二ロータＲｏ２と一体回転するように連結されている。キャリアｃａ２は、非回転部材としてのケースＤＣに連結され、回転しないように固定されている。リングギヤｒ２は、出力ギヤＯと一体回転するように連結されている。本実施形態においては、これらのサンギヤｓ２、キャリアｃａ２、及びリングギヤｒ２が、それぞれ本発明における第二遊星歯車装置Ｐ２の「第一回転要素」、「第二回転要素」、及び「第三回転要素」に相当する。
【００４６】
図３は、車両の走行時における第一遊星歯車装置Ｐ１及び第二遊星歯車装置Ｐ２の動作状態を表す速度線図である。これらの速度線図において、縦軸は、各回転要素の回転速度に対応しており、横軸上は回転速度がゼロ、上側が正、下側が負となっている。そして、並列配置された複数本の縦線のそれぞれが、第一遊星歯車装置Ｐ１及び第二遊星歯車装置Ｐ２の各回転要素に対応している。すなわち、図３の各縦線の上側に記載されている「ｓ１」、「ｃａ１」、「ｒ１」はそれぞれ第一遊星歯車装置Ｐ１のサンギヤｓ１、キャリアｃａ１、リングギヤｒ１に対応し、「ｓ２」、「ｃａ２」、「ｒ２」はそれぞれ第二遊星歯車装置Ｐ２のサンギヤｓ２、キャリアｃａ２、リングギヤｒ２に対応している。図３における、各回転要素に対応する縦線の間隔は、第一遊星歯車装置Ｐ１及び第二遊星歯車装置Ｐ２のそれぞれの歯数比（サンギヤとリングギヤとの歯数比＝〔サンギヤの歯数〕／〔リングギヤの歯数〕）に対応している。また、これらの速度線図上において、「△」は入力軸Ｉ（エンジン）の回転速度、「☆」は出力ギヤＯの回転速度、「○」は第一モータ・ジェネレータＭＧ１の回転速度、「□」は第二モータ・ジェネレータＭＧ２の回転速度、「×」は非回転部材としてのケースＤＣへの固定状態をそれぞれ示している。なお、これらの記号に隣接して示される矢印は、各回転要素に伝達されるトルクの方向の一例を示している。
【００４７】
第一遊星歯車装置Ｐ１は、図３に直線Ｌ１として示されるように、入力軸Ｉ（エンジン）の回転駆動力を出力ギヤＯ及び第一モータ・ジェネレータＭＧ１に分配する機能を果たす。すなわち、第一遊星歯車装置Ｐ１は、回転速度の順で中間となるキャリアｃａ１が入力軸Ｉ（エンジン）と一体的に回転する。そして、このキャリアｃａ１の回転が、第一遊星歯車装置Ｐ１における回転速度の順で一方端となるサンギヤｓ１、及び回転速度の順で他方端となるリングギヤｒ１に分配される。リングギヤｒ１に分配された回転は出力ギヤＯに伝達され、サンギヤｓ１に分配された回転は第一モータ・ジェネレータＭＧ１の第一ロータＲｏ１に伝達される（図１参照）。この際、エンジンは、効率が高く排気ガスの少ない状態に（一般に最適燃費特性に沿うように）維持されるよう制御されつつ車両側からの要求駆動力に応じた正方向のトルクを出力し、このトルクが入力軸Ｉを介してキャリアｃａ１に伝達される。一方、第一モータ・ジェネレータＭＧ１は、負方向のトルクを出力することにより、入力軸Ｉのトルクの反力をサンギヤｓ１に伝達する。すなわち、第一モータ・ジェネレータＭＧ１は、入力軸Ｉのトルクの反力を支持する反力受けとして機能し、それにより入力軸Ｉのトルクが出力ギヤＯに分配される。この際、第一モータ・ジェネレータＭＧ１の回転速度により出力ギヤＯの回転速度が決定される。通常の走行状態では、第一モータ・ジェネレータＭＧ１は、正回転（回転速度が正）しつつ負方向のトルクを発生して発電を行う。一方、車速が高く（出力ギヤＯの回転速度が高く）なると第一モータ・ジェネレータＭＧ１は、負回転（回転速度が負）しつつ負方向のトルクを発生して力行を行う場合がある。
【００４８】
第二遊星歯車装置Ｐ２は、図３に直線Ｌ２として示されるように、第二モータ・ジェネレータＭＧ２の回転を減速して出力ギヤＯに伝達する機能を果たす。これにより、第二モータ・ジェネレータＭＧ２の回転駆動力は増幅されて出力ギヤＯに伝達される。上記のとおり、第二遊星歯車装置Ｐ２は、第二遊星歯車装置Ｐ２における回転速度の順で中間となるキャリアｃａ２がケースＤＣに固定されており回転速度がゼロとされる。この場合、回転速度の順で一方端となるサンギヤｓ２の回転は、当該第二遊星歯車装置Ｐ２の歯数比に応じて減速されて回転速度の順で他方端となるリングギヤｒ２に伝達される。これにより、第二遊星歯車装置Ｐ２は、サンギヤｓ２に連結された第二モータ・ジェネレータＭＧ２の回転を減速し、リングギヤｒ２に連結された出力ギヤＯに伝達する。そして、第二モータ・ジェネレータＭＧ２は、車両側からの要求駆動力や車両の走行状態等に応じて、第一遊星歯車装置Ｐ１から出力ギヤＯに分配された駆動力を補助すべく、適宜正方向又は負方向のトルクを出力する。
【００４９】
１−２．各部の詳細な構造
次に、本実施形態に係るハイブリッド駆動装置Ｈの各部の詳細な構造について、主に図１を用いて説明する。上記のとおり、このハイブリッド駆動装置Ｈでは、入力軸Ｉと同軸上に、第一モータ・ジェネレータＭＧ１、第二モータ・ジェネレータＭＧ２、出力ギヤＯ、第一遊星歯車装置Ｐ１、及び第二遊星歯車装置Ｐ２が配置されている。この際、第一遊星歯車装置Ｐ１が、第一モータ・ジェネレータＭＧ１の径方向内側に、当該第一モータ・ジェネレータＭＧ１と軸方向に重複して配置され、第二遊星歯車装置Ｐ２が、第二モータ・ジェネレータＭＧ２の径方向内側に、当該第二モータ・ジェネレータＭＧ２と軸方向に重複して配置されている。そして、これらは、入力軸Ｉに連結されるエンジン側（図１における右側）から、第一モータ・ジェネレータＭＧ１及び第一遊星歯車装置Ｐ１、出力ギヤＯ、第二モータ・ジェネレータＭＧ２及び第二遊星歯車装置Ｐ２の順に配置されている。以下、各部の配置、形状、及び軸支持構造等の詳細について、順に説明する。
【００５０】
１−２−１．ケース
このハイブリッド駆動装置Ｈは、第一モータ・ジェネレータＭＧ１、第二モータ・ジェネレータＭＧ２、第一遊星歯車装置Ｐ１、第二遊星歯車装置Ｐ２、及び出力ギヤＯを収容するケースＤＣを備えている。また上記のとおり、本実施形態においては、ケースＤＣは、カウンタ減速機構ＣＲ及びディファレンシャル装置ＤＥも、これらと共通に収容する構成となっている。そして、ケースＤＣは、その内部に収容する各収容部品の外周を覆うケース周壁ｄ３と、当該ケース周壁ｄ３の軸方向一方側の端部開口を塞ぐ第一端部支持壁ｄ４と、ケース周壁ｄ３の軸方向他方側の端部開口を塞ぐ第二端部支持壁ｄ５とを備えている。ここで、第一端部支持壁ｄ４は、第一モータ・ジェネレータＭＧ１に対して軸方向一方側（図１における右側）に配置され、第二端部支持壁ｄ５は、第二モータ・ジェネレータＭＧ２に対して軸方向他方側（図１における左側）に配置されている。更に、このケースＤＣは、軸方向における出力ギヤＯと第一遊星歯車装置Ｐ１との間に配置される第一中間支持壁ｄ１と、軸方向における出力ギヤＯと第二遊星歯車装置Ｐ２との間に配置される第二中間支持壁ｄ２とを備えている。
【００５１】
また、本実施形態においては、ケースＤＣは、主ケースＤＣ１と、当該主ケースＤＣ１の軸方向一方側に取り付けられる第一カバーＤＣ２と、主ケースＤＣ１の軸方向他方側に取り付けられる第二カバーＤＣ３とに分割可能に構成されている。ここで、主ケースＤＣ１は、ケース周壁ｄ３が形成され、ハイブリッド駆動装置Ｈの主要な構成部品を収容する構成となっている。また、図示の例では、第二中間支持壁ｄ２は、主ケースＤＣ１（ケースＤＣ）と一体的に形成されている。一方、第一中間支持壁ｄ１は、主ケースＤＣ１（ケースＤＣ）とは別部品で構成されるとともに、主ケースＤＣ１の内周面に設けられた段差部に軸方向一方側から当接され、一体的に取り付けられる構成となっている。また、この主ケースＤＣ１の軸方向両側の端部は開口部とされており、それらの開口部からケースＤＣの内部に収容する各収容部品が収容されて組みつけられる。ここでは、主ケースＤＣ１の軸方向一方側からは、出力ギヤＯ、第一中間支持壁ｄ１、第一遊星歯車装置Ｐ１、及び第一モータ・ジェネレータＭＧ１が順に収容されて組みつけられる。また、主ケースＤＣ１の軸方向他方側からは、第二遊星歯車装置Ｐ２及び第二モータ・ジェネレータＭＧ２が順に収容されて組みつけられる。
【００５２】
そして、これらの各収容部品が収容された後、主ケースＤＣ１の軸方向一方側に第一カバーＤＣ２が取り付けられ、主ケースＤＣ１の軸方向他方側に第二カバーＤＣ３が取り付けられる。ここで、第一カバーＤＣ２には、第一端部支持壁ｄ４が形成されている。また、第二カバーＤＣ３には、第二端部支持壁ｄ５が形成されている。主ケースＤＣ１に対する第一カバーＤＣ２、第二カバーＤＣ３、及び第一中間支持壁ｄ１の取り付けは、例えばボルト等の締結部材を用いて行う。なお、第一端部支持壁ｄ４、第二端部支持壁ｄ５、第一中間支持壁ｄ１、及び第二中間支持壁ｄ２の形状及び構成については、以下に詳細に説明する。
【００５３】
１−２−２．出力ギヤ
出力ギヤＯは、軸方向における第一遊星歯車装置Ｐ１と第二遊星歯車装置Ｐ２との間に、これらと軸方向に重複することなく配置されている。また、出力ギヤＯは、第一遊星歯車装置Ｐ１（及び第一モータ・ジェネレータＭＧ１）及び第二遊星歯車装置Ｐ２（及び第二モータ・ジェネレータＭＧ２）と同軸上に配置されている。出力ギヤＯは、カウンタ減速機構ＣＲのカウンタドリブンギヤｃｒ２と噛み合う出力ギヤ本体ｏ１と、当該出力ギヤ本体ｏ１に対して軸方向両側に延出され、出力ギヤ本体ｏ１よりも小径の延出軸部ｏ２を備えている。ここで、出力ギヤ本体ｏ１と延出軸部ｏ２とは一部品で構成されている。出力ギヤ本体ｏ１は、第一遊星歯車装置Ｐ１及び第二遊星歯車装置Ｐ２の外径よりも大きい外径を有する比較的大径のギヤとして形成されている。図示の例では、出力ギヤ本体ｏ１は、第一モータ・ジェネレータＭＧ１の第一ロータＲｏ１及び第二モータ・ジェネレータＭＧ２の第二ロータＲｏ２と略同一径を有している。この出力ギヤ本体ｏ１は、外周面が歯面とされたリム部と、当該リム部に対して小さい幅のウェブ部とを有している。図示の例では、ウェブ部の側面から軸方向に突出するようにパーキングギヤｐａが形成されている。
【００５４】
延出軸部ｏ２は、第一遊星歯車装置Ｐ１及び第二遊星歯車装置Ｐ２の外径よりも小さい外径を有する比較的小径の円筒状の軸部として形成されている。本例では、延出軸部ｏ２の外周面は、軸方向両端へ向かうに従って２段階に径が小さくなる段付き形状とされている。そして、延出軸部ｏ２の外周面の中で最も大径となる軸方向中央部に出力ギヤ本体ｏ１が接続され、当該軸方向中央部に対して両側に位置する中間径となる中間部にそれぞれ出力軸受１１、１２が外嵌され、延出軸部ｏ２の両端の小径部に連結部３１、３２が形成されている。これらの連結部３１、３２は、第一遊星歯車装置Ｐ１のリングギヤｒ１及び第二遊星歯車装置Ｐ２のリングギヤｒ２とそれぞれ連結される。そして、延出軸部ｏ２は、出力軸受１１、１２を介してケースＤＣに回転可能に支持される。また、延出軸部ｏ２の軸心部には貫通孔が設けられており、この貫通孔は、入力軸Ｉ及び固定軸Ｆが挿通される軸挿通孔ｏ３とされる。後述するように、この軸挿通孔ｏ３内には、入力軸Ｉの一端部及び固定軸Ｆの一端部が回転可能に支持される。なお、固定軸Ｆは、ケースＤＣに固定された非回転部材としての軸であり、第二遊星歯車装置Ｐ２のキャリアｃａ２に連結される。
【００５５】
出力ギヤＯは、一対の出力軸受１１、１２により回転可能に支持されている。ここで、一対の出力軸受１１、１２は、第一遊星歯車装置Ｐ１及び第二遊星歯車装置Ｐ２に対して出力ギヤＯ側において出力ギヤＯを軸方向両側から支持している。そのため、一対の出力軸受１１、１２は、軸方向における、出力ギヤ本体ｏ１と第一遊星歯車装置Ｐ１との間、及び出力ギヤ本体ｏ１と第二遊星歯車装置Ｐ２との間にそれぞれ配置されている。また、上記のとおり、出力ギヤ本体ｏ１に対して軸方向両側に位置する延出軸部ｏ２が、それぞれ出力軸受１１、１２を介してケースＤＣに回転可能に支持されている。本実施形態においては、一対の出力軸受１１、１２は、延出軸部ｏ２の外周面を支持するように設けられている。これにより、出力ギヤＯは、軸心部に設けられた軸挿通孔ｏ３に対して径方向外側においてケースＤＣに支持された出力軸受１１、１２を介してケースＤＣに回転可能に支持されている。そして、これら一対の出力軸受１１、１２は、第一遊星歯車装置Ｐ１及び第二遊星歯車装置Ｐ２と径方向に重複して配置されている。ここで、一対の出力軸受１１、１２は、第一遊星歯車装置Ｐ１及び第二遊星歯車装置Ｐ２と同軸上に配置されている。したがって、これら一対の出力軸受１１、１２は、それぞれ、内径を第一遊星歯車装置Ｐ１及び第二遊星歯車装置Ｐ２の双方の外径よりも小径とすることにより、第一遊星歯車装置Ｐ１及び第二遊星歯車装置Ｐ２と径方向に重複して配置することができる。図示の例では、一対の出力軸受１１、１２は、いずれも外径を第一遊星歯車装置Ｐ１及び第二遊星歯車装置Ｐ２の双方の外径よりも小径としている。これにより、一対の出力軸受１１、１２は、第一遊星歯車装置Ｐ１及び第二遊星歯車装置Ｐ２と径方向に完全に重複するように配置されている。なお、図示の例では、出力軸受１１、１２として、比較的大きな荷重を支持可能なボールベアリングを用いている。
【００５６】
上記のとおり、ケースＤＣは、軸方向における出力ギヤＯと第一遊星歯車装置Ｐ１との間に配置される第一中間支持壁ｄ１と、軸方向における出力ギヤＯと第二遊星歯車装置Ｐ２との間に配置される第二中間支持壁ｄ２とを備えている。一対の出力軸受１１、１２は、第一中間支持壁ｄ１と第二中間支持壁ｄ２とにそれぞれ支持される。すなわち、軸方向一方側（第一モータ・ジェネレータＭＧ１側、図１における右側、以下同じ）の第一出力軸受１１は第一中間支持壁ｄ１に支持され、軸方向他方側（第二モータ・ジェネレータＭＧ２側、図１における左側、以下同じ）の第二出力軸受１２は第二中間支持壁ｄ２に支持される。これにより、出力ギヤＯは、軸方向両側において第一中間支持壁ｄ１と第二中間支持壁ｄ２とによりそれぞれ出力軸受１１、１２を介して回転可能に支持されている。ところで、第一中間支持壁ｄ１は、出力ギヤＯ（の延出軸部ｏ２）の周囲に、軸方向で出力ギヤＯ側に突出するボス状の軸方向突出部ｄ１ａを備え、当該軸方向突出部ｄ１ａの径方向内側に第一出力軸受１１が支持されている。同様に、第二中間支持壁ｄ２は、出力ギヤＯ（の延出軸部ｏ２）の周囲に、軸方向で出力ギヤＯ側に突出するボス状の軸方向突出部ｄ２ａを備え、当該軸方向突出部ｄ２ａの径方向内側に第二出力軸受１２が支持されている。そして、図示の例では、第二出力軸受１２が、出力ギヤＯの歯面と軸方向に重複して配置されている。すなわち、第二出力軸受１２及びそれを支持する第二中間支持壁ｄ２の軸方向突出部ｄ２ａが、出力ギヤ本体ｏ１における外周面に歯面が形成されたリム部と軸方向に重複する位置に配置されている。
【００５７】
出力ギヤＯは、第一遊星歯車装置Ｐ１のリングギヤｒ１及び第二遊星歯車装置Ｐ２のリングギヤｒ２のそれぞれと別部品で構成されている。そして、軸方向一方側において第一連結部３１を介して第一遊星歯車装置Ｐ１のリングギヤｒ１と一体回転するように連結され、軸方向他方側において第二連結部３２を介して第二遊星歯車装置Ｐ２のリングギヤｒ２と一体回転するように連結されている。本実施形態においては、第一遊星歯車装置Ｐ１のリングギヤｒ１は、第一出力連結部材３３を介して第一連結部３１に連結され、第二遊星歯車装置Ｐ２のリングギヤｒ２は、第二出力連結部材３４を介して第二連結部３２に連結されている。第一出力連結部材３３は、第一遊星歯車装置Ｐ１のリングギヤｒ１から径方向内側に向かって延出されるように設けられた部材であり、本実施形態においては、径方向に沿って配置され、径方向中心部にボス部が形成された円板状部材とされている。この第一出力連結部材３３は、第一遊星歯車装置Ｐ１に対して第二遊星歯車装置Ｐ２側（軸方向他方側）に隣接して配置されている。そして、第一出力連結部材３３の径方向外側端部にリングギヤｒ１の軸方向他方側端部が連結され、径方向内側端部に第一連結部３１を介して出力ギヤＯが連結されている。第二出力連結部材３４は、第二遊星歯車装置Ｐ２のリングギヤｒ２から径方向内側に向かって延出されるように設けられた部材であり、本実施形態においては、径方向に沿って配置され、径方向中心部にボス部が形成された円板状部材とされている。この第二出力連結部材３４は、第二遊星歯車装置Ｐ２に対して第一遊星歯車装置Ｐ１側（軸方向一方側）に隣接して配置されている。そして、第二出力連結部材３４の径方向外側端部にリングギヤｒ２の軸方向一方側端部が連結され、径方向内側端部に第二連結部３２を介して出力ギヤＯが連結されている。
【００５８】
第一連結部３１及び第二連結部３２は、出力ギヤＯと第一遊星歯車装置Ｐ１のリングギヤｒ１及び第二遊星歯車装置Ｐ２のリングギヤｒ２とを、少なくとも軸周方向（回転方向）に係合可能な構成であればよく、公知の各種の連結構造を用いることができる。本実施形態においては、第一連結部３１及び第二連結部３２は、出力ギヤＯと第一遊星歯車装置Ｐ１のリングギヤｒ１、及び出力ギヤＯと第二遊星歯車装置Ｐ２のリングギヤｒ２をそれぞれスプライン係合して連結するスプライン係合部としている。ここでは、延出軸部ｏ２における出力ギヤ本体ｏ１に対して軸方向一方側の端部に第一連結部３１が設けられ、出力ギヤ本体ｏ１に対して軸方向他方側の端部に第二連結部３２が設けられている。具体的には、出力ギヤＯ側では、延出軸部ｏ２の軸方向両端の小径部の外周面に、第一連結部３１及び第二連結部３２を構成するスプライン係合溝が形成されている。また、第一遊星歯車装置Ｐ１のリングギヤｒ１から径方向内側に延出された第一出力連結部材３３のボス部の内周面、及び第二遊星歯車装置Ｐ２のリングギヤｒ２から径方向内側に延出された第二出力連結部材３４のボス部の内周面に、同じく第一連結部３１及び第二連結部３２を構成するスプライン係合溝が形成されている。そして、これらのスプライン係合溝が係合することにより、出力ギヤＯの延出軸部ｏ２における軸方向両端部に、第一遊星歯車装置Ｐ１のリングギヤｒ１及び第二遊星歯車装置Ｐ２のリングギヤｒ２がそれぞれ一体回転するように連結される。
【００５９】
第一連結部３１は、出力ギヤＯに対して第一遊星歯車装置Ｐ１側の第一出力軸受１１よりも第一遊星歯車装置Ｐ１側に配置される。これにより、第一中間支持壁ｄ１及び第一出力軸受１１よりも第一遊星歯車装置Ｐ１側から、第一出力連結部材３３及び第一遊星歯車装置Ｐ１のリングギヤｒ１を出力ギヤＯに連結することが可能となっている。同様に、第二連結部３２は、出力ギヤＯに対して第二遊星歯車装置Ｐ２側の第二出力軸受１２よりも第二遊星歯車装置Ｐ２側に配置される。これにより、第二中間支持壁ｄ２及び第二出力軸受１２よりも第二遊星歯車装置Ｐ２側から、第二出力連結部材３４及び第二遊星歯車装置Ｐ２のリングギヤｒ２を出力ギヤＯに連結することが可能となっている。
【００６０】
そこで、本実施形態に係るハイブリッド駆動装置Ｈは、出力ギヤＯがケースＤＣに支持された状態で、軸方向一方側から第一連結部３１に第一遊星歯車装置Ｐ１及び第一モータ・ジェネレータＭＧ１が組み付けられ、軸方向他方側から第二連結部３２に第二遊星歯車装置Ｐ２及び第二モータ・ジェネレータＭＧ２が組み付けられて構成される。ここでは、出力ギヤＯの延出軸部ｏ２が、軸方向一方側において第一出力軸受１１を介して第一中間支持壁ｄ１に支持され、軸方向他方側において第二出力軸受１２を介して第二中間支持壁ｄ２に支持されることにより、出力ギヤＯがケースＤＣに支持される。この状態で、延出軸部ｏ２の第一連結部３１は、第一中間支持壁ｄ１に支持された第一出力軸受１１よりも第一遊星歯車装置Ｐ１側に突出するように配置され、第二連結部３２は、第二中間支持壁ｄ２に支持された第二出力軸受１２よりも第二遊星歯車装置Ｐ２側に突出するように配置される。
【００６１】
そこで、これらの第一連結部３１及び第二連結部３２に対して、軸方向両側からそれぞれ、第一遊星歯車装置Ｐ１及び第一モータ・ジェネレータＭＧ１、並びに第二遊星歯車装置Ｐ２及び第二モータ・ジェネレータＭＧ２が組み付けられる。より詳細には、まず、軸方向一方側から第一連結部３１に第一遊星歯車装置Ｐ１のリングギヤｒ１を連結する。具体的には、第一出力軸受１１よりも第一遊星歯車装置Ｐ１側に突出している出力ギヤＯ側の第一連結部３１のスプライン係合溝に対して、リングギヤｒ１に連結された第一出力連結部材３３側のスプライン係合溝を係合させて連結される。その後、第一遊星歯車装置Ｐ１のキャリアｃａ１及びサンギヤｓ１と、当該サンギヤｓ１に連結された第一モータ・ジェネレータＭＧ１の第一ロータＲｏ１とが予め組み付けられてなる第一サブユニットが、軸方向一方側から第一遊星歯車装置Ｐ１のリングギヤｒ１に対して組み付けられる。同様に、軸方向他方側からは、第二連結部３２に第二遊星歯車装置Ｐ２のリングギヤｒ２を連結する。具体的には、第二出力軸受１２よりも第二遊星歯車装置Ｐ２側に突出している出力ギヤＯ側の第二連結部３２のスプライン係合溝に対して、リングギヤｒ２に連結された第二出力連結部材３４側のスプライン係合溝を係合させて連結される。その後、第二遊星歯車装置Ｐ２のキャリアｃａ２及びサンギヤｓ２と、当該サンギヤｓ２に連結された第二モータ・ジェネレータＭＧ２の第二ロータＲｏ２とが予め組み付けられてなる第二サブユニットが、軸方向他方側から第二遊星歯車装置Ｐ２のリングギヤｒ２に対して組み付けられる。
【００６２】
このように、第一連結部３１を第一出力軸受１１よりも第一遊星歯車装置Ｐ１側に配置し、第二連結部３２を第二出力軸受１２よりも第二遊星歯車装置Ｐ２側に配置したことにより、ケースＤＣに支持された出力ギヤＯに対して、両側からサブユニットを組み付けることが可能となっている。これにより、本実施形態に係るハイブリッド駆動装置Ｈは、製造工程を簡略化することが可能となっている。
【００６３】
１−２−３．入力軸、固定軸
入力軸Ｉは、エンジンの回転駆動力をキャリアｃａ１に伝達するための軸であり、軸方向一方側においてエンジンに連結され、軸方向他方側において第一遊星歯車装置Ｐ１のキャリアｃａ１に連結されている。入力軸Ｉは、ケースＤＣの軸方向一方側の端壁である第一端部支持壁ｄ４を貫通してケースＤＣ内に挿入されている。また、入力軸Ｉは、第一遊星歯車装置Ｐ１のサンギヤｓ１の径方向内側を貫通する貫通軸とされている。すなわち、入力軸Ｉは、サンギヤｓ１の軸心部に設けられた第一サンギヤ貫通孔４１を貫通し、第一遊星歯車装置Ｐ１に対して軸方向両側においてケースＤＣに支持されている。ここでは、入力軸Ｉは、第一遊星歯車装置Ｐ１に対して軸方向一方側で第一入力軸受１３を介して回転可能な状態でケースＤＣに支持され、第一遊星歯車装置Ｐ１に対して軸方向他方側で第二入力軸受１４を介して回転可能な状態でケースＤＣに支持されている。図示の例では、第一入力軸受１３及び第二入力軸受１４として、径方向の厚さを比較的小さくすることが可能なニードルベアリングを用いている。
【００６４】
本実施形態においては、ケースＤＣは、第一モータ・ジェネレータＭＧ１に対して軸方向一方側に配置された第一端部支持壁ｄ４を備えている。そして、この第一端部支持壁ｄ４に第一入力軸受１３が支持されている。第一端部支持壁ｄ４は、入力軸Ｉの周囲に、軸方向で第一モータ・ジェネレータＭＧ１側に突出するボス状（円筒状）の軸方向突出部ｄ４ａを備え、当該軸方向突出部ｄ４ａの径方向内側に第一入力軸受１３が支持されている。そして、入力軸Ｉは、この第一入力軸受１３を介して第一端部支持壁ｄ４に回転可能に支持されている。より具体的には、入力軸Ｉは、第一端部支持壁ｄ４の軸方向突出部ｄ４ａの内周面と入力軸Ｉの外周面との間に設けられた第一入力軸受１３を介してケースＤＣの第一端部支持壁ｄ４に支持されている。
【００６５】
また、入力軸Ｉの一端部、ここでは、入力軸Ｉの軸方向他方側の端部が、出力ギヤＯを介してケースＤＣに支持されている。具体的には、入力軸Ｉの軸方向他方側の端部が、出力ギヤＯの軸心部に設けられた軸挿通孔ｏ３に挿入され、当該軸挿通孔ｏ３の内周面と入力軸Ｉの外周面との間に配置された第二入力軸受１４を介して軸挿通孔ｏ３の内周面に回転可能に支持されている。上記のとおり、出力ギヤＯの軸挿通孔ｏ３は、延出軸部ｏ２の軸心部に設けられており、当該延出軸部ｏ２は、その外周面が出力軸受１１、１２を介してケースＤＣの第一中間支持壁ｄ１又は第二中間支持壁ｄ２にそれぞれ回転可能に支持されている。また、図示のように、延出軸部ｏ２の軸方向一方側を支持する第一出力軸受１１は、第二入力軸受１４の径方向外側において、当該第二入力軸受１４と軸方向に重複する位置に配置されている。これにより、入力軸Ｉの軸方向他方側の端部は、第二入力軸受１４、出力ギヤＯの延出軸部ｏ２、及び第一出力軸受１１を介してケースＤＣの第一中間支持壁ｄ１に回転可能に支持されている。
【００６６】
固定軸Ｆは、第二遊星歯車装置Ｐ２のキャリアｃａ２をケースＤＣに固定するための非回転部材としての軸であり、軸方向一方側において第二遊星歯車装置Ｐ２のキャリアｃａ２に連結され、軸方向他方側においてケースＤＣに連結されている。固定軸Ｆは、第二遊星歯車装置Ｐ２のサンギヤｓ２の径方向内側を貫通する貫通軸とされている。すなわち、固定軸Ｆは、サンギヤｓ２の軸心部に設けられた第二サンギヤ貫通孔４２を貫通し、第二遊星歯車装置Ｐ２に対して軸方向両側においてケースＤＣに支持されている。本実施形態においては、固定軸Ｆは、第二遊星歯車装置Ｐ２に対して軸方向他方側でケースＤＣに対して回転不可能な状態で支持され、第二遊星歯車装置Ｐ２に対して軸方向一方側で固定軸受１５を介して出力ギヤＯに対して相対回転可能な状態でケースＤＣに支持されている。図示の例では、固定軸受１５として、径方向の厚さを比較的小さくすることが可能なニードルベアリングを用いている。
【００６７】
本実施形態においては、ケースＤＣは、第二モータ・ジェネレータＭＧ２に対して軸方向他方側に配置された第二端部支持壁ｄ５を備えている。そして、この第二端部支持壁ｄ５に固定軸Ｆが直接支持されている。ここでは、固定軸Ｆと第二端部支持壁ｄ５とは、スプライン係合部により連結されている。具体的には、第二端部支持壁ｄ５は、固定軸Ｆの周囲に、軸方向で第二モータ・ジェネレータＭＧ２側に突出するボス状（円筒状）の軸方向突出部ｄ５ａを備え、当該軸方向突出部ｄ５ａの内周面にスプライン係合溝が形成されている。また、固定軸Ｆの軸方向他方側端部の外周面にもスプライン係合溝が形成されている。そして、これらのスプライン係合溝が係合することにより、固定軸Ｆが第二端部支持壁ｄ５に対して回転不可能な状態で固定支持されている。
【００６８】
また、固定軸Ｆの一端部、ここでは、固定軸Ｆの軸方向一方側の端部が、出力ギヤＯを介してケースＤＣに支持されている。具体的には、固定軸Ｆの軸方向一方側の端部が、出力ギヤＯの軸心部に設けられた軸挿通孔ｏ３に挿入され、当該軸挿通孔ｏ３の内周面と固定軸Ｆの外周面との間に配置された固定軸受１５を介して軸挿通孔ｏ３の内周面に回転可能に支持されている。上記のとおり、出力ギヤＯの軸挿通孔ｏ３は、延出軸部ｏ２の軸心部に設けられており、当該延出軸部ｏ２は、その外周面が出力軸受１１、１２を介してケースＤＣの第一中間支持壁ｄ１又は第二中間支持壁ｄ２にそれぞれ回転可能に支持されている。また、図示のように、延出軸部ｏ２の軸方向他方側を支持する第二出力軸受１２は、固定軸受１５の径方向外側において、当該固定軸受１５と軸方向に重複する位置に配置されている。これにより、固定軸Ｆの軸方向一方側の端部は、固定軸受１５、出力ギヤＯの延出軸部ｏ２、及び第二出力軸受１２を介してケースＤＣの第二中間支持壁ｄ２に回転可能に支持されている。
【００６９】
以上のとおり、本実施形態においては、貫通軸としての入力軸Ｉは、第一遊星歯車装置Ｐ１に対して軸方向一方側においては軸受を介してケースＤＣに直接的に支持され、軸方向他方側においては軸受の他に出力ギヤＯの延出軸部ｏ２を介してケースＤＣに間接的に支持されている。一方、貫通軸としての固定軸Ｆは、第二遊星歯車装置Ｐ２に対して軸方向他方側（本発明における軸方向一方側）においては軸受を介することなくケースＤＣに直接的に支持され、軸方向一方側においては軸受の他に出力ギヤＯの延出軸部ｏ２を介してケースＤＣに間接的に支持されている。ここで、入力軸Ｉ又は固定軸ＦがケースＤＣに直接的に支持される状態とは、入力軸Ｉ又は固定軸Ｆが、ケースＤＣに直接接するように支持され、又は軸受のみを介して支持される状態を意味する。一方、入力軸Ｉ又は固定軸ＦがケースＤＣに間接的に支持される状態とは、入力軸Ｉ又は固定軸Ｆが、ケースＤＣとの間に軸受以外の部材（本例では出力ギヤＯの延出軸部ｏ２）を介してケースＤＣにされる状態を意味する。
【００７０】
また、本実施形態においては、入力軸Ｉの軸方向他方側の端部に、ポンプ駆動軸６１が連結されている。このポンプ駆動軸６１は、軸方向一方側の端部が入力軸Ｉに連結されているとともに、固定軸Ｆの軸心部に設けられた貫通孔を貫通し、軸方向他方側の端部がケースＤＣの第二端部支持壁ｄ５に設けられたオイルポンプ６２のロータに連結されている。また、このポンプ駆動軸６１の軸心部には、オイルポンプ６２から吐出されたオイルが流通する流路が軸方向に貫通するように形成されている。オイルポンプ６２は、第二端部支持壁ｄ５の軸方向他方側の側面（外側面）と、当該側面に対向するように取り付けられたポンプカバー６３との間にポンプ室が形成され、当該ポンプ室内にロータが配置された構成となっている。
【００７１】
１−２−４．モータ・ジェネレータ
第一モータ・ジェネレータＭＧ１は、出力ギヤＯに対して軸方向一方側であって、同じく出力ギヤＯに対して軸方向一方側に配置された第一遊星歯車装置Ｐ１の径方向外側に配置されている。第一モータ・ジェネレータＭＧ１の第一ステータＳｔ１は、ケースＤＣのケース周壁ｄ３の内周面に固定されている。第一ロータＲｏ１は、第一ロータ連結部材５１を介して第一遊星歯車装置Ｐ１のサンギヤｓ１と一体的に連結されるとともに、当該第一ロータ連結部材５１により第一遊星歯車装置Ｐ１の径方向外側に支持されている。
【００７２】
第一ロータ連結部材５１は、第一ロータＲｏ１から径方向内側に向かって延出されるように設けられた部材であり、本実施形態においては、径方向に沿って配置され、径方向中心部に円形孔が形成された円板状部材とされている。この第一ロータ連結部材５１は、第一遊星歯車装置Ｐ１に対して第二遊星歯車装置Ｐ２側とは反対側（軸方向一方側、図１における右側）に隣接して配置されている。そして、第一ロータ連結部材５１の径方向外側端部に第一ロータＲｏ１が固定され、径方向内側端部に第一遊星歯車装置Ｐ１のサンギヤｓ１が固定されている。この際、第一ロータ連結部材５１は、第一ロータＲｏ１の軸方向一方側端部及びサンギヤｓ１の軸方向一方側端部にそれぞれ固定されている。また、本実施形態においては、第一ロータ連結部材５１は、第一ロータＲｏ１の内周面を支持するために、前記円板状部材から軸方向に突出する円筒部５１ａを一体的に備えた形状とされている。ここでは、円筒部５１ａは、第一遊星歯車装置Ｐ１側（軸方向他方側、図１における左側）に突出するように設けられ、その外周面に第一ロータＲｏ１の内周面が接している。
【００７３】
上記のように、第一ロータ連結部材５１の径方向外側端部に第一ロータＲｏ１の軸方向一方側端部を固定したことにより、第一ロータＲｏ１の径方向内側に、当該第一ロータＲｏ１の内周面（本例では円筒部５１ａの内周面）と第一ロータ連結部材５１とに囲まれた第一空間ＳＰ１が形成される。この第一空間ＳＰ１は、第二遊星歯車装置Ｐ２側（軸方向他方側）に開口する空間となっている。そして、この第一空間ＳＰ１内に、第一遊星歯車装置Ｐ１の全体又は一部が収容される。
【００７４】
第一モータ・ジェネレータＭＧ１の第一ロータＲｏ１は、軸方向の二箇所で回転可能に支持され、当該二箇所の内の一方では第一ロータＲｏ１はケースＤＣに支持され、他方では第一ロータＲｏ１は第一遊星歯車装置Ｐ１のサンギヤｓ１の径方向内側で入力軸Ｉに支持されている。本実施形態においては、第一ロータＲｏ１は、軸方向一方側の支持部において第一ロータ軸受１６を介してケースＤＣの第一端部支持壁ｄ４に回転可能に支持され、軸方向他方側の支持部においてサンギヤｓ１の径方向内側で第三ロータ軸受１８を介して入力軸Ｉに回転可能に支持されている。なお、図示の例では、第一ロータ軸受１６として、比較的大きな荷重を支持可能なボールベアリングを用いている。一方、第三ロータ軸受１８としては、径方向の厚さを比較的小さくすることが可能なニードルベアリングを用いている。
【００７５】
本実施形態においては、第一ロータ連結部材５１は、当該第一ロータ連結部材５１及び第一ロータＲｏ１をケースＤＣに支持するために、前記円板状部材から軸方向に突出するボス状（円筒状）の軸方向突出部５１ｂを一体的に備えた形状とされている。ここでは、軸方向突出部５１ｂは、第一遊星歯車装置Ｐ１とは反対側（軸方向一方側、図１における右側）に突出するように設けられている。そして、この軸方向突出部５１ｂの内周面を支持するように第一ロータ軸受１６が設けられている。また、この第一ロータ軸受１６は、上述した第一端部支持壁ｄ４の軸方向突出部ｄ４ａの径方向外側に設けられている。本例では、当該第一端部支持壁ｄ４の軸方向突出部ｄ４ａの外周面に、第一ロータ軸受１６が支持されている。すなわち、第一ロータＲｏ１は、第一ロータ連結部材５１、及び当該第一ロータ連結部材５１の軸方向突出部５１ｂの内周面と第一端部支持壁ｄ４の軸方向突出部ｄ４ａの外周面との間に設けられた第一ロータ軸受１６を介して、ケースＤＣの第一端部支持壁ｄ４に回転可能に支持されている。
【００７６】
上記のとおり、ケースＤＣの第一端部支持壁ｄ４に設けられた軸方向突出部ｄ４ａの径方向内側に、入力軸Ｉを支持するための第一入力軸受１３が設けられている。そこで、本実施形態においては、第一端部支持壁ｄ４の軸方向突出部ｄ４ａの径方向内側に設けられた第一入力軸受１３と、当該軸方向突出部ｄ４ａの径方向外側に設けられた第一ロータ軸受１６とが、軸方向に重複して配置されている。図示の例では、第一入力軸受１３と第一ロータ軸受１６とは、径方向に軸方向突出部ｄ４ａを挟んで同軸配置され、かつ軸方向に一部重複するように配置されている。また、本実施形態においては、第一ロータ連結部材５１の軸方向突出部５１ｂの径方向外側に、第一ロータＲｏ１の回転位置を検出する第一回転センサ５３が配置されている。具体的には、第一回転センサ５３としてはレゾルバ等が用いられる。そして、第一ロータ連結部材５１の軸方向突出部５１ｂの外周面に、第一回転センサ５３のロータが固定され、ケースＤＣの第一端部支持壁ｄ４における第一モータ・ジェネレータＭＧ１側の面に第一回転センサ５３のステータが固定されている。ここで、第一ロータ連結部材５１の軸方向突出部５１ｂは、第一ロータ軸受１６、第一入力軸受１３、及び第一端部支持壁ｄ４の軸方向突出部ｄ４ａと軸方向に重複して配置されている。したがって、本例では、第一回転センサ５３も、これらと軸方向に重複して配置されている。また、軸方向に互いに重複するように配置された、第一ロータ軸受１６、第一入力軸受１３、第一端部支持壁ｄ４の軸方向突出部ｄ４ａ、第一ロータ連結部材５１の軸方向突出部５１ｂ、及び第一回転センサ５３は、第一モータ・ジェネレータＭＧ１の第一ステータＳｔ１と軸方向に重複して配置されている。本例では、これらは、第一ステータＳｔ１のコアから軸方向一方側に突出しているコイルエンドと軸方向に重複して配置されている。このような配置とすることにより、ハイブリッド駆動装置Ｈの軸方向寸法を小さく抑えることが可能となっている。
【００７７】
また、第一モータ・ジェネレータＭＧ１の第一ロータＲｏ１は、軸方向他方側の支持部においては、第一遊星歯車装置Ｐ１のサンギヤｓ１の径方向内側で入力軸Ｉに支持されている。具体的には、第一遊星歯車装置Ｐ１のサンギヤｓ１が、当該サンギヤｓ１の軸心部に設けられた第一サンギヤ貫通孔４１の内周面と入力軸Ｉの外周面との間に設けられた第三ロータ軸受１８を介して入力軸Ｉに支持されている。そして、このように入力軸Ｉに回転支持された第一遊星歯車装置Ｐ１のサンギヤｓ１に、第一ロータ連結部材５１を介して第一ロータＲｏ１が一体的に連結され支持されている。言い換えれば、第一ロータＲｏ１は、第一ロータ連結部材５１及び第一遊星歯車装置Ｐ１のサンギヤｓ１、並びに第三ロータ軸受１８を介して入力軸Ｉに回転可能に支持されている。ここで、第一遊星歯車装置Ｐ１のサンギヤｓ１は、第一モータ・ジェネレータＭＧ１の径方向内側に配置されていることから、当該サンギヤｓ１を回転可能に支持する第三ロータ軸受１８も、第一モータ・ジェネレータＭＧ１の径方向内側に配置されている。したがって、第一モータ・ジェネレータＭＧ１の第一ロータＲｏ１は、軸方向に関して、当該第一ロータＲｏ１に対して軸方向一方側の位置、及び当該第一ロータＲｏ１と軸方向に重複する位置の２箇所で支持されている。
【００７８】
第二モータ・ジェネレータＭＧ２は、出力ギヤＯに対して軸方向他方側であって、同じく出力ギヤＯに対して軸方向他方側に配置された第二遊星歯車装置Ｐ２の径方向外側に配置されている。第二モータ・ジェネレータＭＧ２の第二ステータＳｔ２は、ケースＤＣのケース周壁ｄ３の内周面に固定されている。第二ロータＲｏ２は、第二ロータ連結部材５２を介して第二遊星歯車装置Ｐ２のサンギヤｓ２と一体的に連結されるとともに、当該第二ロータ連結部材５２により第二遊星歯車装置Ｐ２の径方向外側に支持されている。
【００７９】
第二ロータ連結部材５２は、第二ロータＲｏ２から径方向内側に向かって延出されるように設けられた部材であり、本実施形態においては、径方向に沿って配置され、径方向中心部に円形孔が形成された円板状部材とされている。この第二ロータ連結部材５２は、第二遊星歯車装置Ｐ２に対して第一遊星歯車装置Ｐ１側とは反対側（軸方向他方側、図１における左側）に隣接して配置されている。そして、第二ロータ連結部材５２の径方向外側端部に第二ロータＲｏ２が固定され、径方向内側端部に第二遊星歯車装置Ｐ２のサンギヤｓ２が固定されている。この際、第二ロータ連結部材５２は、第二ロータＲｏ２の軸方向他方側端部及びサンギヤｓ２の軸方向他方側端部にそれぞれ固定されている。また、本実施形態においては、第二ロータ連結部材５２は、第二ロータＲｏ２の内周面を支持するために、前記円板状部材から軸方向に突出する円筒部５２ａを一体的に備えた形状とされている。ここでは、円筒部５２ａは、第二遊星歯車装置Ｐ２側（軸方向一方側、図１における右側）に突出するように設けられ、その外周面に第二ロータＲｏ２の内周面が接している。
【００８０】
上記のように、第二ロータ連結部材５２の径方向外側端部に第二ロータＲｏ２の軸方向他方側端部を固定したことにより、第二ロータＲｏ２の径方向内側に、当該第二ロータＲｏ２の内周面（本例では円筒部５２ａの内周面）と第二ロータ連結部材５２とに囲まれた第二空間ＳＰ２が形成される。この第二空間ＳＰ２は、第一遊星歯車装置Ｐ１側（軸方向一方側）に開口する空間となっている。そして、この第二空間ＳＰ２内に、第二遊星歯車装置Ｐ２の全体又は一部が収容される。
【００８１】
第二モータ・ジェネレータＭＧ２の第二ロータＲｏ２は、軸方向の二箇所で回転可能に支持され、当該二箇所の内の一方では第二ロータＲｏ２はケースＤＣに支持され、他方では第二ロータＲｏ２は第二遊星歯車装置Ｐ２のサンギヤｓ２の径方向内側で固定軸Ｆに支持されている。本実施形態においては、第二ロータＲｏ２は、軸方向他方側の支持部において第二ロータ軸受１７を介してケースＤＣの第二端部支持壁ｄ５に回転可能に支持され、軸方向一方側の支持部においてサンギヤｓ２の径方向内側で第四ロータ軸受１９を介して固定軸Ｆに回転可能に支持されている。なお、図示の例では、第二ロータ軸受１７として、比較的大きな荷重を支持可能なボールベアリングを用いている。一方、第四ロータ軸受１９としては、径方向の厚さを比較的小さくすることが可能なニードルベアリングを用いている。
【００８２】
本実施形態においては、第二ロータ連結部材５２は、当該第二ロータ連結部材５２及び第二ロータＲｏ２をケースＤＣに支持するために、前記円板状部材から軸方向に突出するボス状（円筒状）の軸方向突出部５２ｂを一体的に備えた形状とされている。ここでは、軸方向突出部５２ｂは、第二遊星歯車装置Ｐ２とは反対側（軸方向他方側、図１における左側）に突出するように設けられている。そして、この軸方向突出部５２ｂの内周面を支持するように第二ロータ軸受１７が設けられている。また、この第二ロータ軸受１７は、上述した第二端部支持壁ｄ５の軸方向突出部ｄ５ａの径方向外側に設けられている。本例では、当該第二端部支持壁ｄ５の軸方向突出部ｄ５ａの外周面に、第二ロータ軸受１７が支持されている。すなわち、第二ロータＲｏ２は、第二ロータ連結部材５２、及び当該第二ロータ連結部材５２の軸方向突出部５２ｂの内周面と第二端部支持壁ｄ５の軸方向突出部ｄ５ａの外周面との間に設けられた第二ロータ軸受１７を介して、ケースＤＣの第二端部支持壁ｄ５に回転可能に支持されている。
【００８３】
本実施形態においては、第二ロータ連結部材５２の軸方向突出部５２ｂの径方向外側に、第二ロータＲｏ２の回転位置を検出する第二回転センサ５４が配置されている。具体的には、第二回転センサ５４としてはレゾルバ等が用いられる。そして、第二ロータ連結部材５２の軸方向突出部５２ｂの外周面に、第二回転センサ５４のロータが固定され、ケースＤＣの第二端部支持壁ｄ５における第二モータ・ジェネレータＭＧ２側の面に第二回転センサ５４のステータが固定されている。ここで、第二ロータ連結部材５２の軸方向突出部５２ｂは、第二ロータ軸受１７、及び第二端部支持壁ｄ５の軸方向突出部ｄ５ａと軸方向に重複して配置されている。したがって、本例では、第二回転センサ５４も、これらと軸方向に重複して配置されている。また、軸方向に互いに重複するように配置された、第二ロータ軸受１７、第二端部支持壁ｄ５の軸方向突出部ｄ５ａ、第二ロータ連結部材５２の軸方向突出部５２ｂ、及び第二回転センサ５４は、第二モータ・ジェネレータＭＧ２の第二ステータＳｔ２と軸方向に重複して配置されている。本例では、これらは、第二ステータＳｔ２のコアから軸方向他方側に突出しているコイルエンドと軸方向に重複して配置されている。このような配置とすることにより、ハイブリッド駆動装置Ｈの軸方向寸法を小さく抑えることが可能となっている。
【００８４】
また、第二モータ・ジェネレータＭＧ２の第二ロータＲｏ２は、軸方向一方側の支持部においては、第二遊星歯車装置Ｐ２のサンギヤｓ２の径方向内側で固定軸Ｆに支持されている。具体的には、第二遊星歯車装置Ｐ２のサンギヤｓ２が、当該サンギヤｓ２の軸心部に設けられた第二サンギヤ貫通孔４２の内周面と固定軸Ｆの外周面との間に設けられた第四ロータ軸受１９を介して固定軸Ｆに支持されている。そして、このように固定軸Ｆに回転支持された第二遊星歯車装置Ｐ２のサンギヤｓ２に、第二ロータ連結部材５２を介して第二ロータＲｏ２が一体的に連結され支持されている。言い換えれば、第二ロータＲｏ２は、第二ロータ連結部材５２及び第二遊星歯車装置Ｐ２のサンギヤｓ２、並びに第四ロータ軸受１９を介して固定軸Ｆに回転可能に支持されている。ここで、第二遊星歯車装置Ｐ２のサンギヤｓ２は、第二モータ・ジェネレータＭＧ２の径方向内側に配置されていることから、当該サンギヤｓ２を回転可能に支持する第四ロータ軸受１９も、第二モータ・ジェネレータＭＧ２の径方向内側に配置されている。したがって、第二モータ・ジェネレータＭＧ２の第二ロータＲｏ２は、軸方向に関して、当該第二ロータＲｏ２に対して軸方向他方側の位置、及び当該第二ロータＲｏ２と軸方向に重複する位置の２箇所で支持されている。
【００８５】
このハイブリッド駆動装置Ｈでは、上記のとおり、第一モータ・ジェネレータＭＧ１の第一ロータＲｏ１を第一遊星歯車装置Ｐ１の径方向外側に配置するとともに、第一ロータ連結部材５１を第一遊星歯車装置Ｐ１に対して第二遊星歯車装置Ｐ２側とは反対側に隣接して配置し、第二モータ・ジェネレータＭＧ２の第二ロータＲｏ２を第二遊星歯車装置Ｐ２の径方向外側に配置するとともに、第二ロータ連結部材５２を第二遊星歯車装置Ｐ２に対して第一遊星歯車装置Ｐ１側とは反対側に隣接して配置している。これにより、第一モータ・ジェネレータＭＧ１の径方向内側に形成されて第一遊星歯車装置Ｐ１を収容する第一空間ＳＰ１と、第二モータ・ジェネレータＭＧ２の径方向内側に形成されて第二遊星歯車装置Ｐ２を収容する第二空間ＳＰ２とが、軸方向に互いに対向する側に開口するように形成されている。すなわち、第一ロータＲｏ１の内周面（本例では円筒部５１ａの内周面）と第一ロータ連結部材５１とに囲まれた第一空間ＳＰ１と、第二ロータＲｏ２の内周面（本例では円筒部５２ａの内周面）と第二ロータ連結部材５２とに囲まれた第二空間ＳＰ２とは、互いに出力ギヤＯ側に開口するように、第一ロータＲｏ１及び第一ロータ連結部材５１、並びに第二ロータＲｏ２及び第二ロータ連結部材５２が配置されている。
【００８６】
また、上記のとおり、第一ロータＲｏ１を回転可能に支持する第一ロータ軸受１６は、第一端部支持壁ｄ４の軸方向突出部ｄ４ａの外周面に配置され、第一ロータ連結部材５１から軸方向に突出形成された軸方向突出部５１ｂの内周面を支持するように設けられている。また、第二ロータＲｏ２を回転可能に支持する第二ロータ軸受１７は、第二端部支持壁ｄ５の軸方向突出部ｄ５ａの外周面に配置され、第二ロータ連結部材５２から軸方向に突出形成された軸方向突出部２ｂの内周面を支持するように設けられている。一方、一対の出力軸受１１、１２は、出力ギヤＯの延出軸部ｏ２の外周面を支持するように設けられている。各軸受１１、１２、１６、１７をこのように配置することにより、第一ロータＲｏ１、出力ギヤＯ、及び第二ロータＲｏ２の径方向内側に支持される入力軸Ｉ又は固定軸Ｆを適切に支持しながら、これらの入力軸Ｉ又は固定軸Ｆを支持する軸受と干渉しないように第一ロータＲｏ１、出力ギヤＯ、及び第二ロータＲｏ２の軸受を配置し、それぞれを適切に支持することが可能となっている。また、一対のロータ軸受１６、１７と一対の出力軸受１１、１２とを、同一径に揃えることが容易な配置となっているので、これらを同一径の同一部品として共用することにより、部品種類数を減少させ、コストダウンを図ることが可能となっている。
【００８７】
１−２−５．遊星歯車装置
第一遊星歯車装置Ｐ１は、第一モータ・ジェネレータＭＧ１の径方向内側に、当該第一モータ・ジェネレータＭＧ１と軸方向に重複して配置されている。したがって、第一遊星歯車装置Ｐ１は、第一モータ・ジェネレータＭＧ１と同様に、出力ギヤＯに対して軸方向一方側（図１における右側）に配置されている。図示の例では、第一遊星歯車装置Ｐ１は、第一モータ・ジェネレータＭＧ１の第一ロータＲｏ１及び第一ステータＳｔ１と一部重複するように配置されている。
【００８８】
第一遊星歯車装置Ｐ１のサンギヤｓ１は、第一ロータ連結部材５１を介して第一ロータＲｏ１と連結されている。上記のとおり、第一ロータ連結部材５１は、第一遊星歯車装置Ｐ１に対して第二遊星歯車装置Ｐ２側とは反対側（軸方向一方側）に隣接して配置されている。したがって、第一遊星歯車装置Ｐ１のサンギヤｓ１は、第二遊星歯車装置Ｐ２側とは反対側（軸方向一方側）の端部において、第一ロータ連結部材５１と連結されている。第一遊星歯車装置Ｐ１のキャリアｃａ１は、ピニオンギヤに対して第二遊星歯車装置Ｐ２側（軸方向他方側）において入力軸Ｉと連結されている。図示の例では、ピニオンギヤに対して第二遊星歯車装置Ｐ２側（軸方向他方側）の位置において、入力軸Ｉの外周面から突出するように一体的に形成されたフランジ部ｉ１にキャリアｃａ１が一体的に固定されている。フランジ部ｉ１の軸方向両側には、第一遊星歯車装置Ｐ１のサンギヤｓ１及びリングギヤｒ１に作用する軸方向荷重を支持するためのスラスト軸受２０が配置されている。
【００８９】
第一遊星歯車装置Ｐ１のリングギヤｒ１は、第一出力連結部材３３を介して出力ギヤＯに連結されている。上記のとおり、第一出力連結部材３３は、第一遊星歯車装置Ｐ１に対して第二遊星歯車装置Ｐ２側（軸方向他方側）に隣接して配置されている。したがって、第一遊星歯車装置Ｐ１のリングギヤｒ１は、第二遊星歯車装置Ｐ２側（軸方向他方側）の端部において、第一出力連結部材３３と連結されている。本例では、リングギヤｒ１と第一出力連結部材３３との連結は、スプライン係合により行う構成とされている。そして、第一遊星歯車装置Ｐ１のリングギヤｒ１は、第一出力連結部材３３を介して出力ギヤＯの延出軸部ｏ２における軸方向一方側の端部に設けられた第一連結部３１に連結されている。
【００９０】
第二遊星歯車装置Ｐ２は、第二モータ・ジェネレータＭＧ２の径方向内側に、当該第二モータ・ジェネレータＭＧ２と軸方向に重複して配置されている。したがって、第二遊星歯車装置Ｐ２は、第二モータ・ジェネレータＭＧ２と同様に、出力ギヤＯに対して軸方向他方側（図１における左側）に配置されている。図示の例では、第二遊星歯車装置Ｐ２の全体が、第二モータ・ジェネレータＭＧ２の第二ロータＲｏ２及び第二ステータＳｔ２と重複するように配置されている。
【００９１】
第二遊星歯車装置Ｐ２のサンギヤｓ２は、第二ロータ連結部材５２を介して第二ロータＲｏ２と連結されている。上記のとおり、第二ロータ連結部材５２は、第二遊星歯車装置Ｐ２に対して第一遊星歯車装置Ｐ１側とは反対側（軸方向他方側）に隣接して配置されている。したがって、第二遊星歯車装置Ｐ２のサンギヤｓ２は、第一遊星歯車装置Ｐ１側とは反対側（軸方向他方側）の端部において、第二ロータ連結部材５２と連結されている。第二遊星歯車装置Ｐ２のキャリアｃａ２は、ピニオンギヤに対して第一遊星歯車装置Ｐ１側（軸方向一方側）において固定軸Ｆと連結されている。図示の例では、ピニオンギヤに対して第一遊星歯車装置Ｐ１側（軸方向一方側）の位置において、固定軸Ｆの外周面から突出するように一体的に形成されたフランジ部ｆ１にキャリアｃａ２が一体的に固定されている。フランジ部ｆ１の軸方向両側には、第二遊星歯車装置Ｐ２のサンギヤｓ２及びリングギヤｒ２に作用する軸方向荷重を支持するためのスラスト軸受２１が配置されている。
【００９２】
第二遊星歯車装置Ｐ２のリングギヤｒ２は、第二出力連結部材３４を介して出力ギヤＯに連結されている。上記のとおり、第二出力連結部材３４は、第二遊星歯車装置Ｐ２に対して第一遊星歯車装置Ｐ１側（軸方向一方側）に隣接して配置されている。したがって、第二遊星歯車装置Ｐ２のリングギヤｒ２は、第一遊星歯車装置Ｐ１側（軸方向一方側）の端部において、第二出力連結部材３４と連結されている。本例では、リングギヤｒ２と第二出力連結部材３４との連結は、スプライン係合により行う構成とされている。そして、第二遊星歯車装置Ｐ２のリングギヤｒ２は、第二出力連結部材３４を介して出力ギヤＯの延出軸部ｏ２における軸方向他方側の端部に設けられた第二連結部３２に連結されている。本実施形態においては、第二遊星歯車装置Ｐ２として、第一遊星歯車装置Ｐ１と比べて、軸方向及び径方向にやや大きい寸法のものが用いられている。
【００９３】
２．第二の実施形態
次に、本発明の第二の実施形態に係るハイブリッド駆動装置Ｈについて図面に基づいて説明する。図４は、このハイブリッド駆動装置Ｈの要部断面図であり、図５は、このハイブリッド駆動装置Ｈの全体断面図である。これらの図に示すように、本実施形態に係るハイブリッド駆動装置Ｈは、上記第一の実施形態と比べて、第二遊星歯車装置Ｐ２の各回転要素に対する出力ギヤＯ及び非回転部材としてのケースＤＣの連結関係が相違する。また、これに伴い、本実施形態に係るハイブリッド駆動装置Ｈは、上記第一の実施形態における固定軸Ｆを備えておらず、入力軸Ｉの支持構造も上記第一の実施形態と相違する。一方、このハイブリッド駆動装置Ｈは、出力ギヤＯの出力ギヤ本体ｏ１に対して軸方向一方側（図４における右側）の構成は、上記第一の実施形態と同一である。以下では、本実施形態に係るハイブリッド駆動装置Ｈについて、上記第一の実施形態との相違点を中心として説明する。なお、特に説明しない点については、上記第一の実施形態と同様である。
【００９４】
第二遊星歯車装置Ｐ２は、上記第一の実施形態と同様に、シングルピニオン型の遊星歯車機構により構成されており、第二遊星歯車装置Ｐ２のサンギヤｓ２は、第二モータ・ジェネレータＭＧ２の第二ロータＲｏ２と一体回転するように連結されている。一方、本実施形態においては、第二遊星歯車装置Ｐ２のキャリアｃａ２が、出力ギヤＯと一体回転するように連結されている。また、リングギヤｒ２が、非回転部材としてのケースＤＣに連結され、回転しないように固定されている。したがって、本実施形態においては、サンギヤｓ２が本発明における第二遊星歯車装置Ｐ２の「第一回転要素」に相当し、リングギヤｒ２が本発明における第二遊星歯車装置Ｐ２の「第二回転要素」に相当し、キャリアｃａ２が本発明における第二遊星歯車装置Ｐ２の「第三回転要素」に相当する。第二遊星歯車装置Ｐ２の各回転要素の連結関係がこのようにされたことにより、本実施形態においては、出力ギヤＯは、軸方向一方側では第一遊星歯車装置Ｐ１の出力回転要素としてのリングギヤｒ１に連結されているが、軸方向他方側では第二遊星歯車装置Ｐ２の出力回転要素としてのキャリアｃａ２に連結されている。
【００９５】
図６は、車両の走行時における第一遊星歯車装置Ｐ１及び第二遊星歯車装置Ｐ２の動作状態を表す速度線図である。これらの速度線図の記載方法は、上記第一の実施形態と同様である。図６に直線Ｌ１として示されるように、第一遊星歯車装置Ｐ１に関する各部の動作は、上記第一の実施形態と同様である。一方、第二遊星歯車装置Ｐ２については、図６に直線Ｌ２として示されるように、第二モータ・ジェネレータＭＧ２の回転を減速して出力ギヤＯに伝達する機能については同様であるが、その実現方法が上記第一の実施形態と相違する。すなわち、第二遊星歯車装置Ｐ２は、第二遊星歯車装置Ｐ２における回転速度の順で一方端となるリングギヤｒ２がケースＤＣに固定されており回転速度がゼロとされる。この場合、回転速度の順で他方端となるサンギヤｓ２の回転は、当該第二遊星歯車装置Ｐ２の歯数比に応じて減速されて回転速度の順で中間となるキャリアｃａ２に伝達される。これにより、第二遊星歯車装置Ｐ２は、サンギヤｓ２に連結された第二モータ・ジェネレータＭＧ２の回転を減速し、キャリアｃａ２に連結された出力ギヤＯに伝達する。そして、第二モータ・ジェネレータＭＧ２は、車両側からの要求駆動力や車両の走行状態等に応じて、第一遊星歯車装置Ｐ１から出力ギヤＯに分配された駆動力を補助すべく、適宜正方向又は負方向のトルクを出力する。なお、本実施形態に係る第二遊星歯車装置Ｐ２の構成によれば、上記第一の実施形態と比べて、第二モータ・ジェネレータＭＧ２の回転を減速する際の減速比を大きくすることが可能である。したがって、本例では、図４に示すように、第二モータ・ジェネレータＭＧ２には、上記第一の実施形態（図１参照）と比べて体格の小さいもの、具体的には軸方向寸法が小さいものが用いられている。
【００９６】
本実施形態においても、出力ギヤＯは、軸方向における第一遊星歯車装置Ｐ１と第二遊星歯車装置Ｐ２との間に配置されており、カウンタ減速機構ＣＲのカウンタドリブンギヤｃｒ２と噛み合う出力ギヤ本体ｏ１と、当該出力ギヤ本体ｏ１に対して軸方向両側に延出され、出力ギヤ本体ｏ１よりも小径の延出軸部ｏ２を備えている。但し、出力ギヤＯの延出軸部ｏ２の軸心部に設けられた貫通孔である軸挿通孔ｏ３内には、入力軸Ｉが貫通するように配置される。すなわち、本実施形態においては、軸挿通孔ｏ３内に入力軸Ｉ等の軸端部が回転可能に支持される構成とはなっておらず、入力軸Ｉは、軸挿通孔ｏ３を貫通するだけの構成となっている。
【００９７】
また、本実施形態においては、出力ギヤＯの延出軸部ｏ２における軸方向他方側に設けられる第二連結部３２は、第二遊星歯車装置Ｐ２のキャリアｃａ２と連結される。すなわち、出力ギヤＯは、第二遊星歯車装置Ｐ２のキャリアｃａ２と別部品で構成され、軸方向他方側において第二連結部３２を介して第二遊星歯車装置Ｐ２のリングギヤｒ２と一体回転するように連結されている。本実施形態においては、第二遊星歯車装置Ｐ２のキャリアｃａ２が直接出力ギヤＯに連結されている。すなわち、第二遊星歯車装置Ｐ２のキャリアｃａ２は、第二遊星歯車装置Ｐ２に対して第一遊星歯車装置Ｐ１側（軸方向一方側）において、ピニオンギヤの軸部材から径方向内側に向かって延出されるように形成されている。そして、このキャリアｃａの径方向内側に向かって延出された部分における、径方向中心部にボス部が形成されている。そして、このボス部に第二連結部３２を介して出力ギヤＯが連結されている。これにより、第二遊星歯車装置Ｐ２のキャリアｃａ２は、直接的に第二連結部３２に連結されている。
【００９８】
本実施形態においても、第二連結部３２は、出力ギヤＯと第二遊星歯車装置Ｐ２のキャリアｃａ２をそれぞれスプライン係合して連結するスプライン係合部としている。具体的には、出力ギヤＯ側では、延出軸部ｏ２の軸方向両端の小径部の外周面に、第二連結部３２を構成するスプライン係合溝が形成されている。また、第二遊星歯車装置Ｐ２のキャリアｃａ２に設けられたボス部の内周面に、同じく第二連結部３２を構成するスプライン係合溝が形成されている。そして、これらのスプライン係合溝が係合することにより、出力ギヤＯの延出軸部ｏ２における軸方向他方側の端部に、第二遊星歯車装置Ｐ２のキャリアｃａ２が一体回転するように連結される。上記第一の実施形態と同様に、第二連結部３２は、出力ギヤＯに対して第二遊星歯車装置Ｐ２側の第二出力軸受１２よりも第二遊星歯車装置Ｐ２側に配置される。
【００９９】
本実施形態においても、入力軸Ｉは、エンジンの回転駆動力をキャリアｃａ１に伝達するために、第一遊星歯車装置Ｐ１のキャリアｃａ１に連結されている。また、入力軸Ｉは、第一遊星歯車装置Ｐ１のサンギヤｓ１の径方向内側を貫通する貫通軸とされている。但し、本実施形態ではそれだけでなく、入力軸Ｉは、出力ギヤＯの径方向内側及び第二遊星歯車装置Ｐ２のサンギヤｓ２の径方向内側も貫通する構成となっている。すなわち、この入力軸Ｉは、第一遊星歯車装置Ｐ１のサンギヤｓ１の軸心部に設けられた第一サンギヤ貫通孔４１を貫通するだけでなく、出力ギヤＯの延出軸部ｏ２の軸心部に設けられた貫通孔である軸挿通孔ｏ３、及び第二遊星歯車装置Ｐ２のサンギヤｓ２の軸心部に設けられた第二サンギヤ貫通孔４２を貫通するように配置されている。そして、入力軸Ｉは、第一遊星歯車装置Ｐ１及び第二遊星歯車装置Ｐ２に対して軸方向両側、具体的には、第一遊星歯車装置Ｐ１に対して軸方向一方側及び第二遊星歯車装置Ｐ２に対して軸方向他方側においてケースＤＣに支持されている。ここでは、入力軸Ｉは、第一遊星歯車装置Ｐ１に対して軸方向一方側で第一入力軸受１３を介して回転可能な状態でケースＤＣに支持され、第二遊星歯車装置Ｐ２に対して軸方向他方側で第二入力軸受１４を介して回転可能な状態でケースＤＣに支持されている。これにより、本実施形態においては、入力軸Ｉの一端部が、出力ギヤＯの軸心部に設けられた軸挿通孔ｏ３を貫通し、出力ギヤＯに対して第二モータ・ジェネレータＭＧ２側に配置された第二入力軸受１４によって回転可能に支持される構成となっている。
【０１００】
そして、本実施形態においては、第二入力軸受１４の配置及び支持構造が、上記第一の実施形態と相違している。すなわち、第二入力軸受１４は、第二モータ・ジェネレータＭＧ２に対して軸方向他方側に配置された第二端部支持壁ｄ５に支持されている。すなわち、第二端部支持壁ｄ５は、入力軸Ｉの周囲に、軸方向で第二モータ・ジェネレータＭＧ２側に突出するボス状（円筒状）の軸方向突出部ｄ５ａを備えており、当該軸方向突出部ｄ５ａの径方向内側に第二入力軸受１４が支持されている。そして、入力軸Ｉは、この第二入力軸受１４を介して第二端部支持壁ｄ５に回転可能に支持されている。より具体的には、入力軸Ｉは、第二端部支持壁ｄ５の軸方向突出部ｄ５ａの内周面と入力軸Ｉの外周面との間に設けられた第二入力軸受１４を介してケースＤＣの第二端部支持壁ｄ５に支持されている。
【０１０１】
以上のとおり、本実施形態においては、貫通軸としての入力軸Ｉは、第一遊星歯車装置Ｐ１及び第二遊星歯車装置Ｐ２の双方に対して軸方向両側、具体的には、第一遊星歯車装置Ｐ１に対して軸方向一方側及び第二遊星歯車装置Ｐ２に対して軸方向他方側において、軸受を介してケースＤＣに直接的に支持されている。また、本実施形態においては、入力軸Ｉの軸方向他方側の端部が、ケースＤＣの第二端部支持壁ｄ５に設けられたオイルポンプ６２のロータに直接連結されている。そのため、入力軸Ｉの軸心部には、オイルポンプ６２から吐出されたオイルが流通する流路が軸方向に沿って形成されている。
【０１０２】
上記第一の実施形態と同様に、第二モータ・ジェネレータＭＧ２の第二ロータＲｏ２は、軸方向の二箇所で回転可能に支持され、当該二箇所の内の一方では第二ロータＲｏ２はケースＤＣに支持されている。一方、本実施形態においては、当該二箇所の内の他方では第二ロータＲｏ２は第二遊星歯車装置Ｐ２のサンギヤｓ２の径方向内側で、当該サンギヤｓ２の径方向内側を貫通するように配置されている入力軸Ｉに支持されている。すなわち、第二ロータＲｏ２は、軸方向一方側の支持部においてサンギヤｓ２の径方向内側で第四ロータ軸受１９を介して入力軸Ｉに回転可能に支持されている。具体的には、第二遊星歯車装置Ｐ２のサンギヤｓ２が、当該サンギヤｓ２の軸心部に設けられた第二サンギヤ貫通孔４２の内周面と入力軸Ｉの外周面との間に設けられた第四ロータ軸受１９を介して入力軸Ｉに支持されている。そして、このように入力軸Ｉに回転支持された第二遊星歯車装置Ｐ２のサンギヤｓ２に、第二ロータ連結部材５２を介して第二ロータＲｏ２が一体的に連結され支持されている。言い換えれば、第二ロータＲｏ２は、第二ロータ連結部材５２及び第二遊星歯車装置Ｐ２のサンギヤｓ２、並びに第四ロータ軸受１９を介して入力軸Ｉに回転可能に支持されている。
【０１０３】
上記のとおり、ケースＤＣの第二端部支持壁ｄ５に設けられた軸方向突出部ｄ５ａの径方向内側に、入力軸Ｉを支持するための第二入力軸受１４が設けられている。そこで、本実施形態においては、第二端部支持壁ｄ５の軸方向突出部ｄ５ａの径方向内側に設けられた第二入力軸受１４と、当該軸方向突出部ｄ５ａの径方向外側に設けられた第二ロータ軸受１７とが、軸方向に重複して配置されている。図示の例では、第二入力軸受１４と第二ロータ軸受１７とは、径方向に軸方向突出部ｄ５ａを挟んで同軸配置され、かつ軸方向に一部重複するように配置されている。また、本実施形態においては、第二ロータ連結部材５２の軸方向突出部５２ｂの径方向外側に、第二ロータＲｏ２の回転位置を検出する第二回転センサ５４が配置されている。具体的には、第二ロータ連結部材５２の軸方向突出部５２ｂの外周面に、第二回転センサ５４のロータが固定され、ケースＤＣの第二端部支持壁ｄ５における第二モータ・ジェネレータＭＧ２側の面に第二回転センサ５４のステータが固定されている。ここで、第二ロータ連結部材５２の軸方向突出部５２ｂは、第二ロータ軸受１７、第二入力軸受１４、及び第二端部支持壁ｄ５の軸方向突出部ｄ５ａと軸方向に重複して配置されている。したがって、本例では、第二回転センサ５４も、これらと軸方向に重複して配置されている。また、軸方向に互いに重複するように配置された、第二ロータ軸受１７、第二入力軸受１４、第二端部支持壁ｄ５の軸方向突出部ｄ５ａ、第二ロータ連結部材５２の軸方向突出部５２ｂ、及び第二回転センサ５４は、第二モータ・ジェネレータＭＧ２の第二ステータＳｔ２と軸方向に重複して配置されている。本例では、これらは、第二ステータＳｔ２のコアから軸方向他方側に突出しているコイルエンドと軸方向に重複して配置されている。このような配置とすることにより、ハイブリッド駆動装置Ｈの軸方向寸法を小さく抑えることが可能となっている。
【０１０４】
第二遊星歯車装置Ｐ２は、サンギヤｓ２が第二ロータ連結部材５２を介して第二ロータＲｏ２と連結されている点は、上記第一の実施形態と同様である。一方、第二遊星歯車装置Ｐ２のキャリアｃａ２は出力ギヤＯに連結されている。第二遊星歯車装置Ｐ２のキャリアｃａ２は、ピニオンギヤに対して第一遊星歯車装置Ｐ１側（軸方向一方側）において、径方向内側に向かって延出されるように形成されている。そして、第二遊星歯車装置Ｐ２のキャリアｃａ２は、出力ギヤＯの延出軸部ｏ２における軸方向他方側の端部に設けられた第二連結部３２に連結されている。この第二遊星歯車装置Ｐ２のキャリアｃａ２の軸方向他方側の端面と、第二遊星歯車装置Ｐ２のサンギヤｓ２に連結された第二ロータ連結部材５２の軸方向一方側の側面との間には、第二遊星歯車装置Ｐ２のサンギヤｓ２に作用する軸方向荷重を支持するためのスラスト軸受２１が配置されている。
【０１０５】
第二遊星歯車装置Ｐ２のリングギヤｒ２は、非回転部材としてのケースＤＣに連結され、回転しないように固定されている。本実施形態においては、ケースＤＣの第二中間支持壁ｄ２に第二遊星歯車装置Ｐ２のリングギヤｒ２が係合されて固定されている。具体的には、第二中間支持壁ｄ２は、軸方向で第二遊星歯車装置Ｐ２側へ突出するボス部ｄ２ｂを備え、当該ボス部ｄ２ｂの内周面にスプライン係合溝が形成されている。第二遊星歯車装置Ｐ２のリングギヤｒ２の軸方向一方側の端部の外周面にもスプライン係合溝が形成されている。そして、これらのスプライン係合溝が係合することにより、リングギヤｒ２が第二中間支持壁ｄ２に対して回転不可能な状態で固定支持されている。
【０１０６】
３．その他の実施形態
（１）上記第一の実施形態では、第一遊星歯車装置Ｐ１のリングギヤｒ１が、第一遊星歯車装置Ｐ１に対して第二遊星歯車装置Ｐ２側に配置される第一出力連結部材３３を介して出力ギヤＯに連結され、第二遊星歯車装置Ｐ２のリングギヤｒ２が、第二遊星歯車装置Ｐ２に対して第一遊星歯車装置Ｐ１側に配置される第二出力連結部材３４を介して出力ギヤＯに連結された構成を例として説明した。しかし、本発明の実施形態はこれに限定されない。したがって、例えば上記第二の実施形態に係る第二遊星歯車装置Ｐ２のキャリアｃａ２のように、第一遊星歯車装置Ｐ１及び第二遊星歯車装置Ｐ２の一方又は双方の出力ギヤＯに連結される回転要素が、出力連結部材を介することなく直接的に出力ギヤＯに連結された構成とすることも、本発明の好適な実施形態の一つである。
【０１０７】
（２）上記の各実施形態では、出力ギヤＯが、連結対象となる第一遊星歯車装置Ｐ１及び第二遊星歯車装置Ｐ２の第三回転要素と別部品で構成され、第一連結部３１及び第二連結部３２を介して連結された構成を例として説明した。しかし、本発明の実施形態はこれに限定されない。したがって、出力ギヤＯを、第一遊星歯車装置Ｐ１の第三回転要素及び第二遊星歯車装置Ｐ２の第三回転要素の一方又は双方と同一部品として一体的に形成することも、本発明の好適な実施形態の一つである。
【０１０８】
（３）上記の各実施形態では、出力ギヤＯと第一遊星歯車装置Ｐ１の第三回転要素及び第二遊星歯車装置Ｐ２の第三回転要素とをそれぞれ連結する第一連結部３１及び第二連結部３２が、スプライン係合により２つの部材を互いに一体回転するように連結する構成である場合を例として説明した。しかし、本発明の実施形態はこれに限定されない。したがって、例えば、第一連結部３１及び第二連結部３２の一方又は双方を、キー及びキー溝を用いて２つの部材を互いに一体回転するように連結する構成とし、或いは２つの部材にそれぞれ設けられたフランジ部を対向させるとともにこれらを互いにボルト等の締結部材により締結固定する構成とすることも、本発明の好適な実施形態の一つである。
【０１０９】
（４）上記の各実施形態では、第一連結部３１及び第二連結部３２が、出力ギヤＯの延出軸部ｏ２の両端部の外周面にそれぞれ設けられる構成を例として説明した。しかし、本発明の実施形態はこれに限定されない。したがって、例えば、第一連結部３１及び第二連結部３２を、出力ギヤＯの延出軸部ｏ２の軸心部に設けられた軸挿通孔ｏ３の両端部の内周面にそれぞれ設けられる構成とすることも、本発明の好適な実施形態の一つである。
【０１１０】
（５）上記の各実施形態では、第一連結部３１が第一出力軸受１１よりも第一遊星歯車装置Ｐ１側に配置され、第二連結部３２が第二出力軸受１２よりも第二遊星歯車装置Ｐ２側に配置された構成を例として説明した。しかし、本発明の実施形態はこれに限定されない。したがって、例えば、第一連結部３１及び第二連結部３２が、軸挿通孔ｏ３の両端部の内周面に設けられる場合等には、第一連結部３１を第一出力軸受１１と軸方向で重複する位置に配置し、第二連結部３２を第二出力軸受１２と軸方向で重複する位置に配置することも、本発明の好適な実施形態の一つである。
【０１１１】
（６）上記の各実施形態では、第一モータ・ジェネレータＭＧ１の第一ロータＲｏ１から径方向内側に延出される第一ロータ連結部材５１が第一遊星歯車装置Ｐ１に対して第二遊星歯車装置Ｐ２側とは反対側に配置され、第二モータ・ジェネレータＭＧ２の第二ロータＲｏ２から径方向内側に延出される第二ロータ連結部材５２が第二遊星歯車装置Ｐ２に対して第一遊星歯車装置Ｐ１側とは反対側に配置されることにより、第一遊星歯車装置Ｐ１を収容する第一空間ＳＰ１と、第二遊星歯車装置Ｐ２を収容する第二空間ＳＰ２とが、軸方向に互いに対向する側に開口する構成を例として説明した。しかし、本発明の実施形態はこれに限定されない。したがって、第一ロータ連結部材５１を第一遊星歯車装置Ｐ１に対して第二遊星歯車装置Ｐ２側に配置し、或いは第二ロータ連結部材５２を第二遊星歯車装置Ｐ２に対して第一遊星歯車装置Ｐ１側に配置することにより、第一空間ＳＰ１と第二空間ＳＰ２とが軸方向に同じ向きに開口する構成とすることも、本発明の好適な実施形態の一つである。また、第一ロータ連結部材５１を第一遊星歯車装置Ｐ１に対して第二遊星歯車装置Ｐ２側に配置し、かつ第二ロータ連結部材５２を第二遊星歯車装置Ｐ２に対して第一遊星歯車装置Ｐ１側に配置することにより、第一空間ＳＰ１と第二空間ＳＰ２とが軸方向に互いに反対向きに開口する構成とすることも、本発明の好適な実施形態の一つである。
【０１１２】
（７）上記の各実施形態では、第一中間支持壁ｄ１及び第二中間支持壁ｄ２の双方が、軸方向で出力ギヤＯ側に突出する軸方向突出部を備え、当該軸方向突出部に出力軸受１１、１２が支持される構成を例として説明した。しかし、本発明の実施形態はこれに限定されない。したがって、第一中間支持壁ｄ１及び第二中間支持壁ｄ２のいずれか一方が、出力軸受１１、１２を支持するために、軸方向で出力ギヤＯ側に突出する軸方向突出部を備える構成とすることも、本発明の好適な実施形態の一つである。この場合、第一中間支持壁ｄ１及び第二中間支持壁ｄ２のいずれか他方は、出力ギヤＯとは反対側に突出する軸方向突出部を備え、或いは、壁自体が十分な厚さを備えている場合には両側に軸方向突出部を備えない構成とすることも可能である。
【０１１３】
（８）上記の各実施形態では、第一中間支持壁ｄ１が主ケースＤＣ１（ケースＤＣ）と別部品で構成されるとともに、ケースＤＣに一体的に取り付けられ、第二中間支持壁ｄ２が主ケースＤＣ１（ケースＤＣ）と一体的に形成されている構成を例として説明した。しかし、本発明の実施形態はこれに限定されない。したがって、例えば、第一中間支持壁ｄ１がケースＤＣと一体的に形成され、第二中間支持壁ｄ２がケースＤＣと別部品で構成されるとともに、ケースＤＣに一体的に取り付けられる構成とし、或いは、第一中間支持壁ｄ１及び第二中間支持壁ｄ２の双方がケースＤＣと別部品で構成されるとともに、ケースＤＣに一体的に取り付けられる構成とすることも、本発明の好適な実施形態の一つである。
【０１１４】
（９）上記の各実施形態では、一対の出力軸受１１、１２の内の一方が出力ギヤＯの歯面と軸方向に重複して配置されている場合を例として説明した。しかし、本発明の実施形態はこれに限定されない。したがって、一対の出力軸受１１、１２の双方が出力ギヤＯの歯面と軸方向に重複して配置され、或いは、いずれもが出力ギヤＯの歯面と軸方向に重複しないように配置された構成とすることも、本発明の好適な実施形態の一つである。
【０１１５】
（１０）上記の各実施形態では、第一モータ・ジェネレータＭＧ１の第一ロータＲｏ１を回転可能に支持する第一ロータ軸受１６が、第一ロータ連結部材５１を径方向内側から支持するように設けられ、第二モータ・ジェネレータＭＧ２の第二ロータＲｏ２を回転可能に支持する第二ロータ軸受１７が、第二ロータ連結部材５２を径方向内側から支持するように設けられている場合を例として説明した。しかし、本発明の実施形態はこれに限定されない。したがって、第一ロータ軸受１６が、第一ロータ連結部材５１を径方向外側から支持するように設けられ、或いは、第二ロータ軸受１７が、第二ロータ連結部材５２を径方向外側から支持するように設けられた構成とすることも、本発明の好適な実施形態の一つである。この場合、例えば、第一ロータ軸受１６が、第一ロータ連結部材５１から軸方向に突出形成された軸方向突出部の外周面を支持するように設けられ、或いは、第二ロータ軸受１７が、第二ロータ連結部材５２から軸方向に突出形成された軸方向突出部の外周面を支持するように設けられていると好適である。
【０１１６】
（１１）上記の各実施形態では、一対の出力軸受１１、１２が、出力ギヤＯの延出軸部ｏ２の外周面を支持するように設けられている場合を例として説明した。しかし、本発明の実施形態はこれに限定されない。したがって、一対の出力軸受１１、１２の一方又は双方が、出力ギヤＯの延出軸部ｏ２の内周面を支持するように設けられた構成とすることも、本発明の好適な実施形態の一つである。
【０１１７】
（１２）上記の各実施形態では、貫通軸としての入力軸Ｉが、第一遊星歯車装置Ｐ１に対して軸方向両側においてケースＤＣに支持され、上記第一の実施形態では、貫通軸としての固定軸Ｆが、第二遊星歯車装置Ｐ２に対して軸方向両側においてケースＤＣに支持されている構成を例として説明した。しかし、本発明の実施形態はこれに限定されない。したがって、例えば、入力軸Ｉを第一遊星歯車装置Ｐ１に対して軸方向で片側のみにおいてケースＤＣに支持し、或いは、固定軸Ｆを第二遊星歯車装置Ｐ２に対して軸方向で片側のみにおいてケースＤＣに支持する構成とすることも、本発明の好適な実施形態の一つである。
【０１１８】
（１３）上記の各実施形態では、第一モータ・ジェネレータＭＧ１の第一ロータＲｏ１及び第二モータ・ジェネレータＭＧ２の第二ロータＲｏ２が、いずれも第一遊星歯車装置Ｐ１又は第二遊星歯車装置Ｐ２のサンギヤｓ１、ｓ２に連結されるとともに、ケースＤＣと、貫通軸としての入力軸Ｉ又は固定軸Ｆとの２箇所で回転可能に支持される構成を例として説明した。しかし、本発明の実施形態はこれに限定されない。したがって、例えば、第一モータ・ジェネレータＭＧ１の第一ロータＲｏ１及び第二モータ・ジェネレータＭＧ２の第二ロータＲｏ２の一方又は双方を、ケースＤＣに対して一箇所で回転可能に支持し、或いはサンギヤｓ１、ｓ２の径方向内側で貫通軸としての入力軸Ｉ又は固定軸Ｆに対して一箇所で回転可能に支持する構成とすることも、本発明の好適な実施形態の一つである。
【０１１９】
（１４）上記の各実施形態では、ケースＤＣの第一端部支持壁ｄ４に設けられた軸方向突出部ｄ４ａの径方向内側に入力軸Ｉを支持するための第一入力軸受１３が設けられ、当該軸方向突出部ｄ４ａの径方向外側に第一ロータＲｏ１を支持するための第一ロータ軸受１６が設けられ、これらが軸方向に重複するように配置されている場合を例として説明した。しかし、本発明の実施形態はこれに限定されない。したがって、例えば、第一入力軸受１３と第一ロータ軸受１６とを軸方向に重複しないように配置し、或いは、第一入力軸受１３及び第一ロータ軸受１６を、ケースＤＣの第一端部支持壁ｄ４に２つの軸方向突出部を設け、各軸方向突出部の径方向内側（又は内周面）或いは径方向外側（又は外周面）にそれぞれ第一入力軸受１３と第一ロータ軸受１６とを設けた構成とすることも、本発明の好適な実施形態の一つである。なお、この点は、上記第二の実施形態における入力軸Ｉの軸方向他方側（図４における左側）の支持構造についても同様である。
【０１２０】
（１５）上記の各実施形態では、第一遊星歯車装置Ｐ１がシングルピニオン型の遊星歯車機構で構成され、サンギヤｓ１に第一モータ・ジェネレータＭＧ１、キャリアｃａ１に入力軸Ｉ、リングギヤｒ１に出力ギヤＯが連結された構成を例として説明した。しかし、本発明の実施形態はこれに限定されない。したがって、第一遊星歯車装置Ｐ１をダブルピニオン型の遊星歯車機構で構成し、或いは、シングルピニオン型又はダブルピニオン型の複数の遊星歯車機構を組み合わせて構成することも、本発明の好適な実施形態の一つである。また、第一遊星歯車装置Ｐ１の各回転要素に対する、第一モータ・ジェネレータＭＧ１、入力軸Ｉ、及び出力ギヤＯの連結関係についても、上記の各実施形態と相違する構成とすることが可能である。したがって、例えば、第一遊星歯車装置Ｐ１をダブルピニオン型の遊星歯車機構で構成する場合において、サンギヤｓ１に第一モータ・ジェネレータＭＧ１、リングギヤｒ１に入力軸Ｉ、キャリアｃａ１に出力ギヤＯが連結された構成とし、或いはサンギヤｓ１に出力ギヤＯ、リングギヤｒ１に入力軸Ｉ、キャリアｃａ１に第一モータ・ジェネレータＭＧ１が連結された構成としても好適である。また、例えば、シングルピニオン型の遊星歯車機構で構成された第一遊星歯車装置Ｐ１において、サンギヤｓ１に第一モータ・ジェネレータＭＧ１、キャリアｃａ１に出力ギヤＯ、リングギヤｒ１に入力軸Ｉが連結された構成とすることも可能である。
【０１２１】
（１６）上記の第一の実施形態では、第二遊星歯車装置Ｐ２がシングルピニオン型の遊星歯車機構で構成され、サンギヤｓ２に第二モータ・ジェネレータＭＧ２、キャリアｃａ２に非回転部材、リングギヤｒ２に出力ギヤＯが連結された構成を例として説明した。また、上記の第二の実施形態では、第二遊星歯車装置Ｐ２がシングルピニオン型の遊星歯車機構で構成され、サンギヤｓ２に第二モータ・ジェネレータＭＧ２、キャリアｃａ２に出力ギヤＯ、リングギヤｒ２に非回転部材が連結された構成を例として説明した。しかし、本発明の実施形態はこれに限定されない。したがって、第二遊星歯車装置Ｐ２をダブルピニオン型の遊星歯車機構で構成し、或いは、シングルピニオン型又はダブルピニオン型の複数の遊星歯車機構を組み合わせて構成することも、本発明の好適な実施形態の一つである。また、第二遊星歯車装置Ｐ２の各回転要素に対する、第二モータ・ジェネレータＭＧ２、非回転部材、及び出力ギヤＯの連結関係についても、上記の各実施形態と相違する構成とすることが可能である。したがって、例えば、第二遊星歯車装置Ｐ２をダブルピニオン型の遊星歯車機構で構成する場合において、サンギヤｓ２に第二モータ・ジェネレータＭＧ２、リングギヤｒ１に出力ギヤＯ、キャリアｃａ１に非回転部材が連結された構成とし、或いはサンギヤｓ１に非回転部材、リングギヤｒ１に出力ギヤＯ、キャリアｃａ１に第二モータ・ジェネレータＭＧ２が連結された構成としても好適である。
【産業上の利用可能性】
【０１２２】
本発明は、駆動力源としてエンジンと２つの回転電機とを備えたハイブリッド車両の駆動装置として好適に利用可能である。
【図面の簡単な説明】
【０１２３】
【図１】本発明の第一の実施形態に係るハイブリッド駆動装置の要部断面図
【図２】本発明の第一の実施形態に係るハイブリッド駆動装置の全体断面図
【図３】本発明の第一の実施形態に係るハイブリッド駆動装置における第一遊星歯車装置及び第二遊星歯車装置の動作状態を表す速度線図
【図４】本発明の第二の実施形態に係るハイブリッド駆動装置の要部断面図
【図５】本発明の第二の実施形態に係るハイブリッド駆動装置の全体断面図
【図６】本発明の第二の実施形態に係るハイブリッド駆動装置における第一遊星歯車装置及び第二遊星歯車装置の動作状態を表す速度線図
【符号の説明】
【０１２４】
Ｈ：ハイブリッド駆動装置
Ｉ：入力軸
ＭＧ１：第一モータ・ジェネレータ（第一回転電機）
Ｒｏ１：第一ロータ
ＭＧ２：第二モータ・ジェネレータ（第二回転電機）
Ｒｏ２：第二ロータ
Ｏ：出力ギヤ
ｏ１：出力ギヤ本体
ｏ２：延出軸部
ｏ３：軸挿通孔
Ｐ１：第一遊星歯車装置
Ｐ２：第二遊星歯車装置
ＤＣ：ケース（非回転部材）
ｄ１：第一中間支持壁
ｄ２：第二中間支持壁
ＳＰ１：第一空間
ＳＰ２：第二空間
１１：第一出力軸受
１２：第二出力軸受
１３：第一入力軸受
１４：第二入力軸受
１６：第一ロータ軸受
１７：第二ロータ軸受
３３：第一出力連結部材
３４：第二出力連結部材
５１：第一ロータ連結部材
５２：第二ロータ連結部材
【図１】
0005093601.tif 000002
【図２】
0005093601.tif 000003
【図３】
0005093601.tif 000004
【図４】
0005093601.tif 000005
【図５】
0005093601.tif 000006
【図６】
0005093601.tif 000007